(57)【特許請求の範囲】
【請求項１】
コンピュータに、
運転者が操作する乗り物の状況を判定し、
乗り物の状況と方向とを対応付けた情報を参照し、判定された前記乗り物の状況と対応する方向を特定し、
方向と、該方向への前記運転者の注意を促す注意喚起情報を音声出力装置に出力させる制御情報と、が対応付けられた情報を参照し、特定された方向と対応する制御情報に基づいて、特定された方向への前記運転者の注意を促す注意喚起情報を前記音声出力装置に出力させ、
前記注意喚起情報を前記音声出力装置に出力させた後に、乗り物の状況と前記運転者が行うべき確認動作とを対応付けた情報を参照し、判定された前記乗り物の状況と対応する確認動作を前記運転者が行ったか否かを判定し、
判定された前記乗り物の状況と対応する確認動作を前記運転者が行ったと判定した場合、該確認動作を前記運転者が行ったことを示す判定結果情報を、前記乗り物の運転席以外の全ての座席の位置から音声を出力する制御情報に基づいて前記音声出力装置に出力させる、
処理を実行させる注意喚起プログラム。
【請求項２】
判定された前記乗り物の状況と対応する確認動作を前記運転者が行ったと判定した場合、評価情報を、前記乗り物の所定の座席の位置から音声を出力する制御情報に基づいて前記音声出力装置に出力させる、請求項１に記載の注意喚起プログラム。
【請求項３】
判定された前記乗り物の状況と対応する確認動作を前記運転者が行ったと判定した場合、前記注意喚起情報が出力されたタイミングと、前記運転者の確認動作が行われたタイミングとの時間差を算出し、算出した時間差に基づく指標が所定の条件を満たす場合に、前記乗り物の状況と前記運転者が行うべき確認動作とを対応付けた情報を更新する、請求項１に記載の注意喚起プログラム。
【請求項４】
運転者が操作する乗り物の状況を判定する判定手段と、
乗り物の状況と方向とを対応付けた情報を参照し、前記判定手段により判定された前記乗り物の状況と対応する方向を特定する特定手段と、
方向と、該方向への前記運転者の注意を促す注意喚起情報を音声出力装置に出力させる制御情報と、が対応付けられた情報を参照し、前記特定手段により特定された方向と対応する制御情報に基づいて、前記特定手段により特定された方向への前記運転者の注意を促す注意喚起情報を前記音声出力装置に出力させる制御手段と、
前記注意喚起情報を前記音声出力装置に出力させた後に、乗り物の状況と前記運転者が行うべき確認動作とを対応付けた情報を参照し、判定された前記乗り物の状況と対応する確認動作を前記運転者が行ったか否かを判定する判定手段と、を有し、
前記制御手段は、
判定された前記乗り物の状況と対応する確認動作を前記運転者が行ったと判定した場合、該確認動作を前記運転者が行ったことを示す判定結果情報を、前記乗り物の運転席以外の全ての座席の位置から音声を出力する制御情報に基づいて前記音声出力装置に出力させる注意喚起装置。
【請求項５】
コンピュータによる注意喚起方法であって、該コンピュータが、
運転者が操作する乗り物の状況を判定し、
乗り物の状況と方向とを対応付けた情報を参照し、判定された前記乗り物の状況と対応する方向を特定し、
方向と、該方向への前記運転者の注意を促す注意喚起情報を音声出力装置に出力させる制御情報と、が対応付けられた情報を参照し、特定された方向と対応する制御情報に基づいて、特定された方向への前記運転者の注意を促す注意喚起情報を前記音声出力装置に出力させ、
前記注意喚起情報を前記音声出力装置に出力させた後に、乗り物の状況と前記運転者が行うべき確認動作とを対応付けた情報を参照し、判定された前記乗り物の状況と対応する確認動作を前記運転者が行ったか否かを判定し、
判定された前記乗り物の状況と対応する確認動作を前記運転者が行ったと判定した場合、該確認動作を前記運転者が行ったことを示す判定結果情報を、前記乗り物の運転席以外の全ての座席の位置から音声を出力する制御情報に基づいて前記音声出力装置に出力させる、
処理を実行する注意喚起方法。
【請求項６】
運転者が操作する乗り物の状況を検出する状況検出装置と、
複数の音声出力装置と、
注意喚起装置と、を有する注意喚起システムであって、
前記注意喚起装置は、
前記状況検出装置により検出された状況に基づいて、該乗り物の状況を判定する判定手段と、
乗り物の状況と方向とを対応付けた情報を参照し、前記状況検出装置により検出された状況と対応する方向を特定する特定手段と、
方向と、該方向への前記運転者の注意を促す注意喚起情報を前記音声出力装置に出力させる制御情報と、が対応付けられた情報を参照し、前記特定手段により特定された方向と対応する制御情報に基づいて、前記特定手段により特定された方向への前記運転者の注意を促す注意喚起情報を前記音声出力装置に出力させる制御手段と、
前記注意喚起情報を前記音声出力装置に出力させた後に、乗り物の状況と前記運転者が行うべき確認動作とを対応付けた情報を参照し、判定された前記乗り物の状況と対応する確認動作を前記運転者が行ったか否かを判定する判定手段と、を有し、
前記制御手段は、
判定された前記乗り物の状況と対応する確認動作を前記運転者が行ったと判定した場合、該確認動作を前記運転者が行ったことを示す判定結果情報を、前記乗り物の運転席以外の全ての座席の位置から音声を出力する制御情報に基づいて前記音声出力装置に出力させる注意喚起システム。
【発明の詳細な説明】
【技術分野】
【０００１】
本発明は、注意喚起プログラム、注意喚起装置、注意喚起方法及び注意喚起システムに関する。
【背景技術】
【０００２】
従来より、車両等の乗り物において、運転者に対して、状況に応じたメッセージ（例えば、障害物が接近していることを知らせるメッセージ等）を適宜出力し、運転者に注意を促すことで、事故の発生を未然に防止する注意喚起装置が知られている。
【０００３】
注意喚起装置では、注意喚起のメッセージを出力したことに応じて、運転者が適切な確認動作を行ったか否かを、運転者の視線の動きや、指差し動作、復唱の有無等を検出することにより判定し、判定結果を運転者に報知する。これにより、注意喚起装置は、運転者に、注意喚起のメッセージに応じた適切な安全確認を行わせる。
【先行技術文献】
【特許文献】
【０００４】
【特許文献１】特開平１１−２５０３９５号公報
【特許文献２】特開２００６−２１９０７７号公報
【特許文献３】特開２０１４−１６７７０３号公報
【発明の概要】
【発明が解決しようとする課題】
【０００５】
しかしながら、運転者に対して出力される注意喚起のメッセージは様々であり、運転者が運転操作中にそれら全てを即座に把握して確認動作を行うことは必ずしも容易ではない。このため、運転者がメッセージの内容を把握できなかったり、把握するまでに一定程度の時間がかかったりすることで、適切な確認動作を行うことができない場合がある。
【０００６】
一つの側面では、運転者による迅速な安全確認を支援することを目的としている。
【課題を解決するための手段】
【０００７】
一態様によれば、注意喚起プログラムは、コンピュータに、運転者が操作する乗り物の状況を判定し、乗り物の状況と方向とを対応付けた情報を参照し、判定された前記乗り物の状況と対応する方向を特定し、方向と、該方向への前記運転者の注意を促す注意喚起情報を音声出力装置に出力させる制御情報と、が対応付けられた情報を参照し、特定された方向と対応する制御情報に基づいて、特定された方向への前記運転者の注意を促す注意喚起情報を前記音声出力装置に出力させ、前記注意喚起情報を前記音声出力装置に出力させた後に、乗り物の状況と前記運転者が行うべき確認動作とを対応付けた情報を参照し、判定された前記乗り物の状況と対応する確認動作を前記運転者が行ったか否かを判定し、判定された前記乗り物の状況と対応する確認動作を前記運転者が行ったと判定した場合、該確認動作を前記運転者が行ったことを示す判定結果情報を、前記乗り物の運転席以外の全ての座席の位置から音声を出力する制御情報に基づいて前記音声出力装置に出力させる、処理を実行させる。
【発明の効果】
【０００８】
運転者による迅速な安全確認を支援することが可能になる。
【図面の簡単な説明】
【０００９】
【図１】注意喚起システムの構成例を示す第１の図である。
【図２】注意喚起用ＥＣＵのハードウェア構成の一例を示す図である。
【図３】車両における複数の音声出力部の配置例と、仮想出力者の配置例とを示す図である。
【図４】仮想同乗者の視野範囲の一例を示す図である。
【図５】仮想出力者と運転者とのコミュニケーションの一例を示す図である。
【図６】動作情報の一例を示す第１の図である。
【図７】動作情報の一例を示す第２の図である。
【図８】判定結果出力情報の一例を示す図である。
【図９】音声属性情報の一例を示す図である。
【図１０】車両の様々な状況において運転者が行うべき確認動作と、注意喚起メッセージと、仮想出力者との関係を具体的に説明するための第１の図である。
【図１１】車両の様々な状況において運転者が行うべき確認動作と、注意喚起メッセージと、仮想出力者との関係を具体的に説明するための第２の図である。
【図１２】車両の様々な状況において運転者が行うべき確認動作と、注意喚起メッセージと、仮想出力者との関係を具体的に説明するための第３の図である。
【図１３】運転補助処理の第１のフローチャートである。
【図１４】状況判定処理のフローチャートである。
【図１５】注意喚起メッセージ出力処理のフローチャートである。
【図１６】確認動作判定処理の第１のフローチャートである。
【図１７】所定の状況における仮想出力者と運転者とのコミュニケーションの一例を示す第１の図である。
【図１８】所定の状況における仮想出力者と運転者とのコミュニケーションの一例を示す第２の図である。
【図１９】確認動作判定処理の第２のフローチャートである。
【図２０】所定の状況における仮想出力者と運転者とのコミュニケーションの一例を示す第３の図である。
【図２１】所定の状況における仮想出力者と運転者とのコミュニケーションの一例を示す第４の図である。
【図２２】注意喚起システムの構成例を示す第２の図である。
【図２３】動作情報更新部の機能構成の詳細を示す図である。
【図２４】運転補助処理の第２のフローチャートである。
【発明を実施するための形態】
【００１０】
以下、各実施形態について添付の図面を参照しながら説明する。なお、以下の各実施形態において、「注意喚起メッセージ」とは、車両等の乗り物において、運転者に対して、運転操作に関する注意を促すための注意喚起情報を指す。
【００１１】
また、「運転者」とは、注意喚起メッセージを音声出力して注意を促す対象者を指し、以下の各実施形態では、対象者が、車両等の乗り物を運転操作するための運転席の位置にいる場合について説明する。ただし、運転席の位置にいない場合であっても、運転操作できる位置にいる者も運転者に含まれるものとする。
【００１２】
また、「仮想出力者」とは、注意喚起メッセージを含む各種音声情報を音声出力する仮想音源を指す。仮想音源は、運転操作中の運転者の周囲に配された複数の音声出力部（スピーカ等の音声出力装置）を介して音声情報を出力する際に、制御情報に基づいて音量（音圧）及び位相を制御することで、運転者の周囲の任意の方向に配置することができる。更に、以下の各実施形態では、仮想音源ごとに声色を変えることで、仮想音源が配置されたそれぞれの方向に、所定の属性を有する人物がいるかのように、運転者に認識させている。
【００１３】
なお、仮想出力者のうち、運転者の周囲の座席の位置に対応する位置に配置された仮想音源を、「仮想同乗者」と称する。
【００１４】
また、「確認動作」とは、注意喚起メッセージが音声出力された場合に、運転者が確認のために行う動作をいう。
【００１５】
また、「呼称」とは、運転者の確認動作のうち、発声により行う確認動作をいう。なお、確認動作には、呼称のほか、指差し動作や視線の動き等が含まれるものとする。
【００１６】
また、「復唱」とは、呼称の後に、呼称の内容に対応する情報（復唱情報）を、仮想同乗者が一斉に音声出力することをいう（ただし、完全に同時でなくてもよく、仮想同乗者間で音声出力のタイミングに多少のずれがあってもよい）。更に、「連呼」とは、呼称の後に、呼称の内容に対応する情報を、仮想同乗者が順次音声出力することをいう。なお、以下の実施形態では、主に「復唱」する場合について説明するが、「連呼」する場合も同様の処理となる。
【００１７】
以下、各実施形態について詳細に説明する。なお、本明細書及び図面において、実質的に同一の機能構成を有する構成要素については、同一の符号を付することにより重複した説明を省く。
【００１８】
［第１の実施形態］
はじめに、第１の実施形態における注意喚起システムのシステム構成について説明する。図１は、注意喚起システムの構成例を示す第１の図である。
【００１９】
図１に示すように、注意喚起システム１００は、ナビゲーション装置１１１、車両制御ＥＣＵ（Electronic Control Unit）１１２、ジェスチャ検出部１１３、音声検出部１１４、視線検出部１１５、周辺環境検出部１１６を有する。また、注意喚起システム１００は、注意喚起用ＥＣＵ１２０、第１の音声出力部１３１〜第６の音声出力部１３６を有する。
【００２０】
ナビゲーション装置１１１は、走行中の車両の現在位置をＧＰＳ（Global Positioning System）を用いて検出し、位置情報として注意喚起用ＥＣＵ１２０に送信する。また、ナビゲーション装置１１１は、車両の現在位置が、交差点や分岐点、合流点等の特定の位置に到達したことを検出し、検出結果（位置検出結果）を位置情報に含めて注意喚起用ＥＣＵ１２０に送信する。
【００２１】
更に、ナビゲーション装置１１１は、目的地までの経路検索結果に基づいて、交差点に到達した際に自車両が直進するのか、右折するのか、左折するのかを検出する。同様に、ナビゲーション装置１１１は、目的地までの経路検索結果に基づいて、分岐点に到達した際に、左側に分岐するのか、右側に分岐するのかを検出する。更に、ナビゲーション装置１１１は、目的地までの経路検索結果に基づいて、合流点に到達した際に、右側から合流するのか、左側から合流するのかを検出する。ナビゲーション装置１１１は、これらの検出結果（進路検出結果）を位置情報に含めて注意喚起用ＥＣＵ１２０に送信する。
【００２２】
車両制御ＥＣＵ１１２は、運転者が車両に対して行った運転操作を示す運転操作情報（例えば、ステアリングの操舵角、アクセルペダルの開度、ブレーキペダルの踏み込み量等）や、車両の状態を示す車両情報（例えば、車速）等を取得する。車両制御ＥＣＵ１１２は、取得した運転操作情報及び車両情報を、注意喚起用ＥＣＵに送信する。
【００２３】
ジェスチャ検出部１１３は、運転者のジェスチャを検出する。また、ジェスチャ検出部１１３は、運転者が指差し動作を行っていたことを検出すると、指差し方向を判定して、指差し方向情報を注意喚起用ＥＣＵ１２０に送信する。
【００２４】
音声検出部１１４は、運転者の呼称を検出して、呼称情報を注意喚起用ＥＣＵ１２０に送信する。
【００２５】
視線検出部１１５は、運転者の視線方向を検出して、視線方向情報を注意喚起用ＥＣＵ１２０に送信する。
【００２６】
周辺環境検出部１１６は、歩行者や他車両等の障害物を検出して、周辺環境情報を注意喚起用ＥＣＵ１２０に送信する。なお、図１の例では、周辺環境検出部１１６は、歩行者や他車両等の障害物を検出した場合に、検出結果を、直接、注意喚起用ＥＣＵ１２０に送信するものとしているが、検出結果をナビゲーション装置１１１や車両制御ＥＣＵ１１２に入力するようにしてもよい。この場合、ナビゲーション装置１１１または車両制御ＥＣＵ１１２が検出結果を解析し、周辺環境情報を注意喚起用ＥＣＵ１２０に送信する。
【００２７】
また、周辺環境情報は、路車間通信や車々通信を介して取得して注意喚起用ＥＣＵ１２０に送信するようにしてもよい。この場合、周辺環境検出部１１６は、通信手段として機能することになる。
【００２８】
注意喚起用ＥＣＵ１２０は、注意喚起メッセージを音声出力するための制御を行う注意喚起装置の一例である。注意喚起用ＥＣＵ１２０には、状況判定プログラム、情報特定プログラム、動作判定プログラム、音声出力制御プログラムが格納されている。注意喚起用ＥＣＵ１２０は、これらのプログラムを実行することで、状況判定部１２１、情報特定部１２２、動作判定部１２３、音声出力制御部１２４として機能する。
【００２９】
状況判定部１２１は、ナビゲーション装置１１１より受信した位置情報と、動作情報格納部１２５に格納された動作情報とに基づいて、現在の車両の状況が、車両の運転者に対して注意喚起メッセージを音声出力すべき状況にあるか否かを判定する。状況判定部１２１は、車両の運転者に対して注意喚起メッセージを音声出力すべき状況にあると判定した場合に、現在の車両の状況に関する情報を情報特定部１２２に通知する。
【００３０】
なお、状況判定部１２１は、更に、周辺環境検出部１１６より受信した周辺環境情報に応じて、現在の車両の状況を判定するようにしてもよい。ただし、第１の実施形態では、説明を簡略化するために、位置情報と動作情報とに基づいて、現在の車両の状況を判定するものとして説明する。
【００３１】
情報特定部１２２は、状況判定部１２１より、現在の車両の状況に関する情報を取得すると、動作情報格納部１２５の動作情報を参照し、運転者に対して注意喚起メッセージを音声出力する際に用いる情報を特定し、音声出力制御部１２４に通知する。
【００３２】
具体的には、情報特定部１２２は、現在の車両の状況に関する情報に基づいて、注意喚起メッセージとそのＩＤを取得する。また、情報特定部１２２は、取得した注意喚起メッセージに基づいて、運転者が確認すべき方向を特定し、特定した方向に関連付けて規定された仮想出力者を特定する。また、情報特定部１２２は、取得した注意喚起メッセージに関連付けて規定された、音声出力するタイミング、順序を特定する。更に、情報特定部１２２は、これらの情報を注意喚起メッセージを音声出力する際に用いる情報として、音声出力制御部１２４に通知する。
【００３３】
また、情報特定部１２２は、状況判定部１２１より、現在の車両の状況に関する情報を取得すると、動作情報格納部１２５の動作情報を参照し、運転者の確認動作の適否を判定する際に用いる情報を特定し、動作判定部１２３に通知する。
【００３４】
具体的には、情報特定部１２２は、現在の車両の状況に関する情報に基づいて、注意喚起メッセージとそのＩＤを取得する。また、情報特定部１２２は、取得した注意喚起メッセージに関連付けて規定された、順序、指差し方向、呼称内容、視線方向を特定する。そして、情報特定部１２２は、これらの情報を運転者の確認動作の適否を判定する際に用いる情報として、動作判定部１２３に通知する。
【００３５】
動作判定部１２３は、情報特定部１２２より、運転者の確認動作の適否を判定する際に用いる情報を取得すると、ジェスチャ検出部１１３より指差し方向情報を受信し、音声検出部１１４より呼称情報を受信し、視線検出部１１５より視線方向情報を受信する。
【００３６】
また、動作判定部１２３は、受信した指差し方向情報、呼称情報、視線方向情報のうち、少なくともいずれか１つが、情報特定部１２２より取得した、運転者の確認動作の適否を判定する際に用いる情報に該当するか否かを判定する。動作判定部１２３は、該当すると判定した場合に、車両の運転者が適切な確認動作を行ったと判定する。
【００３７】
また、動作判定部１２３は、車両の運転者が適切な確認動作を行ったか否かの判定結果に基づいて、判定結果情報格納部１２６の判定結果情報を参照する。更に、動作判定部１２３は、判定結果に応じた判定結果メッセージと、判定結果メッセージの仮想出力者とを取得し、音声出力制御部１２４に通知する。
【００３８】
音声出力制御部１２４は、情報特定部１２２より通知された、注意喚起メッセージとそのＩＤ、仮想出力者、タイミング、順序を取得する。音声出力制御部１２４は、取得した仮想出力者に基づいて、音声属性情報格納部１２７の音声属性情報を参照し、注意喚起メッセージを音声出力する際の第１の音声出力部１３１〜第６の音声出力部１３６の制御情報を取得する。また、音声出力制御部１２４は、取得した注意喚起メッセージを、第１の音声出力部１３１〜第６の音声出力部１３６を介して音声出力する。なお、音声出力制御部１２４は、取得した制御情報に基づいて、取得したタイミングで音声出力する。
【００３９】
また、音声出力制御部１２４は、動作判定部１２３より通知された、判定結果メッセージと判定結果メッセージの仮想出力者とを取得する。音声出力制御部１２４は、取得した判定結果メッセージの仮想出力者に基づいて、音声属性情報格納部１２７の音声属性情報を参照し、第１の音声出力部１３１〜第６の音声出力部１３６の制御情報を取得する。また、音声出力制御部１２４は、取得した判定結果メッセージを、取得した制御情報に基づいて、第１の音声出力部１３１〜第６の音声出力部１３６を介して音声出力する。
【００４０】
第１の音声出力部１３１〜第６の音声出力部１３６は、スピーカ等の音声出力装置であり、注意喚起用ＥＣＵから送信された音声情報（注意喚起メッセージ、判定結果メッセージ）を音声出力する。
【００４１】
次に、注意喚起用ＥＣＵ１２０のハードウェア構成について説明する。図２は、注意喚起用ＥＣＵのハードウェア構成の一例を示す図である。
【００４２】
図２に示すように、注意喚起用ＥＣＵ１２０は、ＣＰＵ（Central Processing Unit）２０１、ＲＯＭ（Read Only Memory）２０２、ＲＡＭ（Random Access Memory）２０３、接続装置２０４を有する。なお、注意喚起用ＥＣＵ１２０の各部は、バス２０５を介して相互に接続されている。
【００４３】
ＣＰＵ２０１は、ＲＯＭ２０２に格納された各種プログラム（例えば、状況判定プログラム、情報特定プログラム、動作判定プログラム、音声出力制御プログラム）を実行するコンピュータである。
【００４４】
ＲＯＭ２０２は不揮発性メモリであり、ＣＰＵ２０１により実行される各種プログラムや各種プログラムを実行する際に用いる情報（動作情報、判定結果情報、音声属性情報等）を格納する。
【００４５】
ＲＡＭ２０３は揮発性メモリであり、ＲＯＭ２０２に格納された各種プログラムがＣＰＵ２０１によって実行される際に展開される、作業領域を提供する。
【００４６】
接続装置２０４は、注意喚起用ＥＣＵ１２０と外部機器（ナビゲーション装置１１１〜視線検出部１１５、第１の音声出力部１３１〜第６の音声出力部１３６）とを接続し、外部機器との間で各種情報を送受信する。
【００４７】
次に、第１の音声出力部１３１〜第６の音声出力部１３６の車両内での配置と、仮想出力者の配置とについて説明する。図３は、車両における複数の音声出力部の配置例と、仮想出力者の配置例とを示す図である。このうち、図３（ａ）は、車両３００の室内空間を上方から見た様子を示しており、第１の音声出力部１３１〜第６の音声出力部１３６の車両３００内での配置を示している。
【００４８】
図３（ａ）に示すように、車両３００において、第１の音声出力部１３１は、運転者３１０が座る運転席３２１の正面位置に配置され、第２の音声出力部１３２は、助手席３２２の正面位置に配置される。また、第３の音声出力部１３３は、運転席３２１の右側位置に配置され、第４の音声出力部１３４は、助手席３２２の左側位置に配置される。
【００４９】
更に、第５の音声出力部１３５は、後部座席３２３の後方右側位置に配置され、第６の音声出力部１３６は、後部座席３２３の後方左側位置に配置される。
【００５０】
図３（ｂ）は、車両３００の室内空間及び車両３００外の空間を上方から見た様子を示しており、車両３００内及び車両３００外における仮想出力者の配置を示している。第１の音声出力部１３１〜第６の音声出力部１３６を図３（ａ）に示す配置のもとで音場制御することで、図３（ｂ）に示すように、助手席３２２の位置に仮想同乗者３１１を配置することができる。また、後部座席３２３の右側の位置に仮想同乗者３１２を、中央の位置に仮想同乗者３１３を、左側の位置に仮想同乗者３１４を配置することができる。
【００５１】
また、第１の音声出力部１３１〜第６の音声出力部１３６を図３（ａ）に示す配置のもとで音場制御することで、車外前方の位置に仮想出力者３３１を、車外右前方の位置に仮想出力者３３２を配置することができる。更に、第１の音声出力部１３１〜第６の音声出力部１３６を図３（ａ）に示す配置のもとで音場制御することで、車外右側の位置に仮想出力者３３３を、車外左前方の位置に仮想出力者３３４を配置することができる。
【００５２】
なお、第１の実施形態では、更に、仮想同乗者３１１〜３１４を擬人化し、それぞれが、予め定められた視野範囲を有しているものとして説明する。図４は、仮想同乗者の視野範囲の一例を示す図である。
【００５３】
図４（ａ）に示すように、助手席３２２の位置に配置される仮想同乗者３１１は、視野範囲４０１を有しており、車両３００の前方から左側方までを視認できるものとする。このため、仮想同乗者３１１は、主に車両３００の前方から左側方の視野範囲に関連する注意喚起メッセージや判定結果メッセージを音声出力する。
【００５４】
また、図４（ｂ）に示すように、後部座席３２３右側の位置に配置される仮想同乗者３１２は、視野範囲４１２を有し、後部座席３２３左側の位置に配置される仮想同乗者３１４は、視野範囲４１４を有しているものとする。つまり、後部座席３２３位置に配置される仮想同乗者３１２、３１４は、それぞれ、車両３００の前方から右後方まで、または、車両３００の前方から左後方までを視認できるものとする。このため、仮想同乗者３１２は、主に車両３００の前方から右後方までの視野範囲に関連する注意喚起メッセージや判定結果メッセージを音声出力する。また、仮想同乗者３１４は、主に車両３００の前方から左後方までの視野範囲に関連する注意喚起メッセージや判定結果メッセージを音声出力する。
【００５５】
更に、図４（ｃ）に示すように、後部座席３２３の中央の位置に配置される仮想同乗者３１３は、視野範囲４１３を有しており、車両３００の後方を視認できるものとする。このため、仮想同乗者３１３は、主に車両３００の後方の視野範囲に関連する注意喚起メッセージや判定結果メッセージを音声出力する。
【００５６】
次に、車両３００の運転者３１０と仮想出力者（仮想同乗者３１１〜３１４または仮想同乗者以外の仮想出力者３３１〜３２４）との間のコミュニケーションについて説明する。図５は、仮想出力者と運転者とのコミュニケーションの一例を示す図である。
【００５７】
現在の車両３００の状況が、車両３００の運転者３１０に対して注意喚起メッセージを音声出力すべき状況にあるとする。この場合、図５に示すように、仮想同乗者３１１〜３１４または仮想同乗者以外の仮想出力者３３１〜３２４のいずれかが、注意喚起メッセージを音声出力する（ステップＳ５０１）。
【００５８】
このとき、音声出力制御部１２４は、注意喚起メッセージに基づいて特定される、運転者が確認すべき方向と関連付けて規定されている仮想同乗者等が、注意喚起メッセージを音声出力するように制御する。例えば、注意喚起メッセージが、運転者３１０に左側の確認を促すメッセージであった場合、音声出力制御部１２４は、運転者３１０の左側から注意喚起メッセージが音声出力されたと認識されるように制御する。具体的には、音声出力制御部１２４は、当該注意喚起メッセージが、助手席３２２の位置に配置された仮想同乗者３１１から音声出力されるように制御する。また、注意喚起メッセージが、運転者３１０の左後方の確認を促すメッセージであった場合、音声出力制御部１２４は、運転者３１０の左後方から注意喚起メッセージが音声出力されたと認識されるように制御する。具体的には、音声出力制御部１２４は、当該注意喚起メッセージが、後部座席３２３の位置に配置された仮想同乗者３１４から音声出力されるように制御する。
【００５９】
このように、注意喚起メッセージに基づいて特定される方向の仮想同乗者または仮想同乗者以外の仮想出力者が、注意喚起メッセージを音声出力することで、運転者３１０は、確認（注意）すべき方向を直感的に把握することができる。この結果、運転操作中に運転者３１０に対して注意喚起メッセージが音声出力された場合であっても、運転者３１０は注意喚起メッセージの内容を容易に把握し、迅速に確認動作を行うことができる。
【００６０】
また、図５に示すように、把握した注意喚起メッセージに基づいて、運転者３１０が確認動作を行い（ステップＳ５０２）、かつ運転者３１０が行った確認動作が適切であった場合には、ステップＳ５０３に進む。この場合、仮想同乗者３１１〜３１４は、運転者３１０が行った確認動作が適切であることを示す判定結果メッセージを復唱または連呼する（ステップＳ５０３）。
【００６１】
このように、運転者３１０が行った確認動作が適切であることを示す判定結果メッセージが復唱または連呼されることで、運転者３１０は、自身の確認動作が適切であったことを認識することができる。
【００６２】
また、仮想同乗者３１１〜３１４のうちのいずれかが、運転者３１０により適切な確認動作が行われたことを評価する旨の評価メッセージを音声出力する（ステップＳ５０４）。
【００６３】
このように、評価メッセージが音声出力されることで、運転者３１０は確認動作を行うことに対する実行意欲を向上させることができる。
【００６４】
一方、現在の車両３００の状況が、車両３００の運転者３１０に対して注意喚起メッセージを音声出力すべき状況にあり、ステップＳ５１１において仮想出力者のいずれかにより、注意喚起メッセージが音声出力されたとする。ここで、ステップＳ５１２では、運転者３１０が適切な確認動作を行わなかったとする。
【００６５】
この場合、図５に示すように、仮想同乗者３１１〜３１４または仮想同乗者以外の仮想出力者３３１〜３２４のいずれかが、運転者３１０が適切な確認動作を行わなかったことを示す判定結果メッセージを音声出力する。このように、運転者３１０が適切な確認動作を行わなかった場合に、直ちに、運転者３１０に対して判定結果メッセージを音声出力して改善を促すことで、運転者３１０は適切な確認動作を習熟することができる。
【００６６】
次に、動作情報格納部１２５に格納される動作情報について説明する。図６、図７は、動作情報の一例を示す第１及び第２の図である。
【００６７】
図６、図７に示すように、動作情報６００及び動作情報７００は、情報の項目として、"位置"、"状況"、"ＩＤ"、"注意喚起メッセージ"、"確認すべき方向"、"仮想出力者"、"タイミング"、"順序"、"指差し方向"、"呼称内容"、"視線方向"を有する。
【００６８】
"位置"には、運転者３１０に対して注意喚起メッセージを音声出力すべき位置が定義されている。図６、図７の例は、車両３００が、交差点、分岐点、合流点のいずれかの位置に到達した場合に、注意喚起メッセージが音声出力されることを示している。
【００６９】
"状況"には、車両３００が、交差点、分岐点、合流点のいずれかの位置に到達した際の状況が定義されている。状況によって、運転者３１０に確認させるべき方向が異なってくるからである。例えば、交差点に到達した際の状況が"直進"であった場合、注意喚起システム１００は、運転者に対して、左側と右側とを確認させ、交差点に到達した際の状況が"右折"であった場合、運転者に対して、右前方と右折先とを確認させる。また、交差点に到達した際の状況が"左折"であった場合、注意喚起システム１００は、運転者に対して、左折先と左後方とを確認させる。
【００７０】
"ＩＤ"には、"位置"及び"状況"に応じて音声出力される"注意喚起メッセージ"それぞれを識別するための識別子が格納される。
【００７１】
"注意喚起メッセージ"には、"位置"及び"状況"に応じて音声出力すべきメッセージが格納される。例えば、位置＝"交差点"、状況＝"直進"の場合、"交差点です。一時停止してください。"、"左側を確認してください。"、"右側を確認してください。"が音声出力すべきメッセージとして格納されている。
【００７２】
"確認すべき方向"には、"注意喚起メッセージ"を音声出力することで、運転者３１０が確認すべき方向が規定される。例えば、注意喚起メッセージ＝"交差点です。一時停止してください。"の場合、運転者３１０が確認すべき方向は前方である。このため、"確認すべき方向"には、"前方"が規定されている。注意喚起メッセージ＝"左側を確認してください。"の場合、運転者３１０が確認すべき方向は左方向である。このため、"確認すべき方向"には、"左側"が規定されている。更に、注意喚起メッセージ＝"右側を確認してください。"の場合、運転者３１０が確認すべき方向は右方向である。このため、"確認すべき方向"には、"右側"が規定されている。
【００７３】
"仮想出力者"には、注意喚起メッセージを音声出力することで、運転者３１０が確認すべき方向に対応する位置に配置された仮想出力者が規定される。例えば、確認すべき方向＝"前方"の場合、"仮想出力者"には、車外前方の位置に配置された仮想出力者３３１が規定されている。また、確認すべき方向＝"左側"の場合、"仮想出力者"には、助手席３２２の位置に配置された仮想同乗者３１１が規定されている。更に、確認すべき方向＝"右側"の場合、"仮想出力者"には、車両３００の車外右側の位置に配置された仮想出力者３３３が規定されている。
【００７４】
"タイミング"には、注意喚起メッセージを音声出力するタイミングが規定され、"順序"には、注意喚起メッセージを音声出力する順序が規定される。
【００７５】
なお、"タイミング"に格納された式のうち、「Ｌ」は、車両３００の現在の位置から"位置"（例えば、交差点）までの距離を表しており、「Ｖ」は、車両３００の現在の車速を示している。
【００７６】
例えば、位置＝"交差点"、状況＝"直進"の場合、"交差点です。一時停止してください。"との注意喚起メッセージは、交差点に到達する（Ｌ／Ｖ）秒前に音声出力される。また、"左側を確認してください。"との注意喚起メッセージは、交差点に到達する（Ｌ／Ｖ−１）秒前に音声出力される。更に、"右側を確認してください。"との注意喚起メッセージは、交差点に到達する（Ｌ／Ｖ−２）秒前に音声出力される。つまり、動作情報６００の場合、注意喚起メッセージの音声出力のタイミングは、車両３００の現在の車速に基づいて決定され、それぞれの注意喚起メッセージは、１秒おきに規定された順序で音声出力される。
【００７７】
"指差し方向"には、注意喚起メッセージが音声出力されたことに応じて、運転者が行うべき指差し動作の方向が格納される。"呼称内容"には、注意喚起メッセージが音声出力されたことに応じて、運転者が行うべき呼称内容が格納される。"視線方向"には、注意喚起メッセージが音声出力されたことに応じて運転者が向けるべき視線の方向が格納される。
【００７８】
次に、判定結果情報格納部１２６に格納される判定結果出力情報について説明する。判定結果情報格納部１２６に格納される判定結果出力情報には、注意喚起メッセージの音声出力に応じて運転者が行った確認動作の適否を動作判定部１２３が判定した際の、判定結果に応じた判定結果メッセージが格納される。
【００７９】
図８は、判定結果出力情報の一例を示す図である。図８に示すように、判定結果出力情報８００は、情報の項目として、"ＩＤ"、"適切な確認動作が行われた場合"、"適切な確認動作が行われなかった場合"が含まれる。また、"適切な確認動作が行われた場合"及び"適切な確認動作が行われなかった場合"のそれぞれには、更に、情報の項目として、"判定結果メッセージ"、"仮想出力者"が含まれる。
【００８０】
"ＩＤ"には、動作情報６００、７００において"注意喚起メッセージ"ごとに定義された識別子が格納される。
【００８１】
"適切な確認動作が行われた場合"の"判定結果メッセージ"には、ＩＤにより識別される注意喚起メッセージに対応する判定結果メッセージが格納される。例えば、ＩＤ＝"１"の場合、注意喚起メッセージとして、"交差点です。一時停止してください。"が音声出力されるため、運転者が適切な確認動作（例えば、「一時停止よし」の呼称）を行った場合には、判定結果メッセージとして"一時停止よし"が音声出力される。このため、"判定結果メッセージ"には、"一時停止よし"が格納されている。
【００８２】
"適切な確認動作が行われた場合"の"仮想出力者"には、対応する判定結果メッセージを音声出力する仮想出力者が規定される。例えば、ＩＤ＝"１"の注意喚起メッセージに対応して音声出力される判定結果メッセージは、車両３００の仮想同乗者３１１〜３１４全員で復唱または連呼される。このため、"仮想出力者"には、"仮想同乗者全員"が規定されている。
【００８３】
"適切な確認動作が行われなかった場合"の"判定結果メッセージ"には、ＩＤにより識別される注意喚起メッセージに対応する判定結果メッセージが格納される。例えば、ＩＤ＝"１"の場合、注意喚起メッセージとして"交差点です。一時停止してください。"が音声出力されるため、運転者が適切な確認動作を行わなかった場合には、判定結果メッセージとして"一時停止の確認を怠っています。"が音声出力される。このため、"判定結果メッセージ"には、"一時停止の確認を怠っています。"が格納されている。
【００８４】
"適切な確認動作が行われなかった場合"の"仮想出力者"には、対応する判定結果メッセージを音声出力する仮想出力者が規定される。例えば、ＩＤ＝"１"の注意喚起メッセージに対応して音声出力される判定結果メッセージは、車両３００の車外前方の位置に配置された仮想出力者３３１から音声出力される。このため、"仮想出力者"には、"車外前方の仮想出力者"が規定されている。
【００８５】
次に、音声属性情報格納部１２７に格納される音声属性情報について説明する。図９は、音声属性情報の一例を示す図である。
【００８６】
図９に示すように、音声属性情報９００は、情報の項目として、"仮想出力者の属性"、"第１の音声出力部"〜"第６の音声出力部"が含まれる。また、"仮想出力者の属性"には、更に、詳細な情報の項目として、"配置"、"声色"、"役割"が含まれる。また、"第１の音声出力部"〜"第６の音声出力部"には、更に、詳細な情報の項目として、"音量"、"位相ずれ"が含まれる。
【００８７】
"仮想出力者の属性"の"配置"には、いずれの位置に配置された仮想出力者であるかを示す情報が格納される。図３を用いて説明したとおり、仮想出力者には、助手席３２２の位置に配置された仮想同乗者３１１、後部座席３２３の右側の位置に配置された仮想同乗者３１２、中央の位置に配置された仮想同乗者３１３、左側の位置に配置された仮想同乗者３１４が含まれる。また、仮想出力者には、車外前方の位置に配置された仮想出力者３３１、車外右前方の位置に配置された仮想出力者３３２、車外右側の位置に配置された仮想出力者３３３、車外左前方の位置に配置された仮想出力者３３４が含まれる。
【００８８】
"仮想出力者の属性"の"声色"には、音声情報を音声出力する際の声色が規定される。音声属性情報９００の例は、仮想出力者それぞれから音声情報を音声出力するにあたり、"Ｍ１"〜"Ｍ５"（男性）の声と、"Ｆ１"〜"Ｆ３"（女性）の声とが含まれることを示している。なお、"Ｍ１"〜"Ｍ５"は、異なる男性の声であることを表している。同様に、"Ｆ１"〜"Ｆ３"は、異なる女性の声であることを表している。
【００８９】
"仮想出力者の属性"の"役割"には、仮想同乗者の役割が規定される。音声属性情報９００の例は、仮想同乗者３１１〜３１４の役割として、"管理者"と"被管理者"とが含まれることを示している。
【００９０】
このように、"仮想出力者の属性"として、"配置"に加え、"声色"及び"役割"を規定しておくことで、例えば、特定の注意喚起メッセージや特定の判定結果メッセージを、特定の声色を有する仮想出力者から音声出力するように規定することが可能となる。また、例えば、特定の注意喚起メッセージや特定の判定結果メッセージを、特定の役割を有する仮想出力者から音声出力するように規定することが可能となる。このため、"声色"や"役割"には、様々な声色や役割を規定することができる。例えば、"役割"には、"上司"や"教官"といった役割を規定することができる。また、"声色"には、それぞれの"役割"に応じた声色を規定することができる。
【００９１】
"第１の音声出力部"〜"第６の音声出力部"の"音量"には、第１の音声出力部１３１〜第６の音声出力部１３６が音声情報を音声出力する際の音量が規定される。また、"第１の音声出力部"〜"第６の音声出力部"の"位相ずれ"には、第１の音声出力部１３１〜第６の音声出力部１３６が音声情報を音声出力する際の位相ずれが規定される。
【００９２】
このように、第１の音声出力部１３１〜第６の音声出力部１３６が音声情報を出力する際の音量及び位相ずれを規定しておくことで、音声出力制御部１２４は、対応する仮想出力者から音声情報を音声出力することができる。つまり、運転者３１０は、それぞれの"配置"の仮想出力者から音声情報が音声出力されているものと認識することができる。
【００９３】
次に、車両３００の様々な状況における注意喚起メッセージと仮想出力者との関係を、具体的に説明する。
【００９４】
図１０乃至図１２は、注意喚起メッセージと、仮想出力者との関係を具体的に説明するための図である。なお、図１０乃至図１２では、判定結果メッセージの音声出力についての記載は省略している。
【００９５】
図１０（ａ）は、車両３００が交差点を直進する状況における注意喚起メッセージと仮想出力者との関係を示している。図１０（ａ）に示すように、車両３００が交差点に進入する手前の所定のタイミング（Ｌ／Ｖ秒前）に到達すると、注意喚起システム１００は、"交差点です。一時停止してください。"との注意喚起メッセージを音声出力する。運転者３１０は、当該注意喚起メッセージが車外前方の位置に配置された仮想出力者３３１から音声出力されたものと認識するため、仮想出力者３３１が配置された車外前方を見ることになる（視線方向１００１参照）。つまり、運転者３１０は、直感的に車外前方方向を見ながら一時停止確認動作を行うことになる。
【００９６】
続いて、注意喚起システム１００は、"左側を確認してください。"との注意喚起メッセージを音声出力する。運転者３１０は、当該注意喚起メッセージが、助手席３２２の位置に配置された仮想同乗者３１１から音声出力されたものと認識するため、仮想同乗者３１１が配置された助手席側を見ることになる（視線方向１００２参照）。つまり、運転者３１０は、直感的に左側確認動作を行うことになる。
【００９７】
続いて、注意喚起システム１００は、"右側を確認してください。"との注意喚起メッセージを音声出力する。運転者３１０は、当該注意喚起メッセージが、車外右側の位置に配置された仮想出力者３３３から音声出力されたものと認識するため、仮想出力者３３３が配置された車外右側を見ることになる（視線方向１００３参照）。つまり、運転者３１０は、直感的に右側確認動作を行うことになる。
【００９８】
図１０（ｂ）は、車両３００が交差点を右折する状況における注意喚起メッセージと仮想出力者との関係を示している。図１０（ｂ）に示すように、車両３００が交差点に進入する手前の所定のタイミング（Ｌ／Ｖ秒前）に到達すると、注意喚起システム１００は、"交差点です。一時停止してください。"との注意喚起メッセージを音声出力する。運転者３１０は、当該注意喚起メッセージが、車外前方の位置に配置された仮想出力者３３１から音声出力されたものと認識するため、仮想出力者３３１が配置された車外前方を見ることになる（視線方向１０１１参照）。つまり、運転者３１０は、直感的に車外前方を見ながら一時停止確認動作を行うことになる。
【００９９】
続いて、注意喚起システム１００は、"右前方を確認してください。"との注意喚起メッセージを音声出力する。運転者３１０は、当該注意喚起メッセージが、車外右前方の位置に配置された仮想出力者３３２から音声出力されたものと認識するため、仮想出力者３３２が配置された車外右前方を見ることになる（視線方向１０１２参照）。つまり、運転者３１０は、直感的に右前方確認動作を行うことになる。
【０１００】
続いて、注意喚起システム１００は、"歩行者を確認してください。"との注意喚起メッセージを音声出力する。運転者３１０は、当該注意喚起メッセージが、車外右側の位置に配置された仮想出力者３３３から音声出力されたものと認識するため、仮想出力者３３３が配置された車外右側を見ることになる（視線方向１０１３参照）。つまり、運転者３１０は、直感的に右折先確認動作を行い、歩行者を確認することになる。
【０１０１】
図１０（ｃ）は、車両３００が交差点を左折する状況における注意喚起メッセージと仮想出力者との関係を示している。図１０（ｃ）に示すように、車両３００が交差点に進入する手前の所定のタイミング（Ｌ／Ｖ秒前）に到達すると、注意喚起システム１００は、"交差点です。一時停止してください。"との注意喚起メッセージを音声出力する。運転者３１０は、当該注意喚起メッセージが、車外前方の位置に配置された仮想出力者３３１から音声出力されたものと認識するため、仮想出力者３３１が配置された車外前方を見ることになる（視線方向１０２１参照）。つまり、運転者３１０は、直感的に車外前方を見ながら一時停止確認動作を行うことになる。
【０１０２】
続いて、注意喚起システム１００は、"左折先を確認してください。"との注意喚起メッセージを音声出力する。運転者３１０は、当該注意喚起メッセージが、助手席３２２の位置に配置された仮想同乗者３１１から音声出力されたものと認識するため、仮想同乗者３１１が配置された助手席側を見ることになる（視線方向１０２２参照）。つまり、運転者３１０は、直感的に左折先確認動作を行うことになる。
【０１０３】
続いて、注意喚起システム１００は、"二輪車が来ていないか確認してください。"との注意喚起メッセージを音声出力する。運転者３１０は、当該注意喚起メッセージが、後部座席３２３左側の位置に配置された仮想同乗者３１４から音声出力されたものと認識するため、仮想同乗者３１４が配置された左後方を見ることになる（視線方向１０２３参照）。つまり、運転者３１０は、直感的に左後方確認動作を行い、二輪車が来ていないか確認することになる。
【０１０４】
図１１（ａ）は、車両３００が分岐点にて右側に分岐する状況における注意喚起メッセージと仮想出力者との関係を示している。図１１（ａ）に示すように、車両３００が分岐点の手前の所定のタイミング（Ｌ／Ｖ秒前）に到達すると、注意喚起システム１００は、"右前方を確認してください。"との注意喚起メッセージを音声出力する。運転者３１０は、当該注意喚起メッセージが、車外右前方の位置に配置された仮想出力者３３２から音声出力されたものと認識するため、仮想出力者３３２が配置された車外右前方を見ることになる（視線方向１１０１参照）。つまり、運転者３１０は、直感的に右前方確認動作を行うことになる。
【０１０５】
図１１（ｂ）は、車両３００が分岐点にて左側に分岐する状況における注意喚起メッセージと仮想出力者との関係を示している。図１１（ｂ）に示すように、車両３００が分岐点の手前の所定のタイミング（Ｌ／Ｖ）に到達すると、注意喚起システム１００は、"左前方を確認してください。"との注意喚起メッセージを音声出力する。運転者３１０は、当該注意喚起メッセージが、車外左前方の位置に配置された仮想出力者３３４から音声出力されたものと認識するため、仮想出力者３３４が配置された車外左前方を見ることになる（視線方向１１１１参照）。つまり、運転者３１０は、直感的に左前方確認動作を行うことになる。
【０１０６】
続いて、注意喚起システム１００は、"左後方を確認してください。"との注意喚起メッセージを音声出力する。運転者３１０は、当該注意喚起メッセージが、後部座席３２３左側の位置に配置された仮想同乗者３１４から音声出力されたものと認識するため、仮想同乗者３１４が配置された左後方を見ることになる（視線方向１１１２参照）。つまり、運転者３１０は、直感的に左後方確認動作を行うことになる。
【０１０７】
図１２（ａ）は、車両３００が合流点に右側から合流する状況における注意喚起メッセージと仮想出力者との関係を示している。図１２（ａ）に示すように、車両３００が合流点に右側から合流する手前の所定のタイミング（Ｌ／Ｖ秒前）に到達すると、注意喚起システム１００は、"左前方を確認してください。"との注意喚起メッセージを音声出力する。運転者３１０は、当該注意喚起メッセージが、車外左前方の位置に配置された仮想出力者３３４から音声出力されたものと認識するため、仮想出力者３３４が配置された車外左前方を見ることになる（視線方向１２０１参照）。つまり、運転者３１０は、直感的に左前方確認動作を行うことになる。
【０１０８】
続いて、注意喚起システム１００は、"左後方を確認してください。"との注意喚起メッセージを音声出力する。運転者３１０は、当該注意喚起メッセージが、後部座席３２３左側の位置に配置された仮想同乗者３１４から音声出力されたものと認識するため、仮想同乗者３１４が配置された左後方を見ることになる（視線方向１２０２参照）。つまり、運転者３１０は、直感的に左後方確認動作を行うことになる。
【０１０９】
図１２（ｂ）は、車両３００が合流点に左側から合流する状況における注意喚起メッセージと仮想出力者との関係を示している。図１２（ｂ）に示すように、車両３００が合流点に左側から合流する手前の所定のタイミング（Ｌ／Ｖ秒前）に到達すると、注意喚起システム１００は、"右前方を確認してください。"との注意喚起メッセージを音声出力する。運転者３１０は、当該注意喚起メッセージが、車外右前方の位置に配置された仮想出力者３３２から音声出力されたものと認識するため、仮想出力者３３２が配置された車外右前方を見ることになる（視線方向１２１１参照）。つまり、運転者３１０は、直感的に右前方確認動作を行うことになる。
【０１１０】
続いて、注意喚起システム１００は、"右後方を確認してください。"との注意喚起メッセージを音声出力する。運転者３１０は、当該注意喚起メッセージが、後部座席３２３右側の位置に配置された仮想同乗者３１２から音声出力されたものと認識するため、仮想同乗者３１２が配置された右後方を見ることになる（視線方向１２１２参照）。つまり、運転者３１０は、直感的に右後方確認動作を行うことになる。
【０１１１】
次に、注意喚起用ＥＣＵ１２０により実行される運転補助処理の流れについて説明する。図１３は、運転補助処理の第１のフローチャートである。車両３００のイグニッションスイッチがＯＮとなり、注意喚起用ＥＣＵ１２０が起動することで、図１３に示す運転補助処理が開始される。
【０１１２】
ステップＳ１３０１において、状況判定部１２１は、現在の車両３００の状況が注意喚起メッセージを音声出力すべき状況にあるか否かを判定する。注意喚起メッセージを音声出力すべき状況にあると判定した場合、情報特定部１２２は、現在の車両３００の状況に基づいて注意喚起メッセージを音声出力する際に用いる情報を特定し、音声出力制御部１２４に通知する。また、情報特定部１２２は、現在の車両３００の状況に基づいて運転者の確認動作の適否を判定する際に用いる情報を特定し、動作判定部１２３に通知する。なお、状況判定部１２１及び動作判定部１２３によるこれらの処理（状況判定処理）の詳細は後述する。
【０１１３】
ステップＳ１３０２において、状況判定部１２１は、カウンタｎに１を代入する。ステップＳ１３０３において、音声出力制御部１２４は、情報特定部１２２より通知された、注意喚起メッセージを音声出力する際に用いる情報のうち、順序＝"ｎ"に対応する情報を用いて注意喚起メッセージの音声出力を行う。なお、音声出力制御部１２４による注意喚起メッセージ出力処理の詳細は後述する。
【０１１４】
ステップＳ１３０４において、動作判定部１２３は、情報特定部１２２より通知された、運転者の確認動作の適否を判定する際に用いる情報のうち、順序＝"ｎ"に対応する情報を用いて、運転者３１０の確認動作の適否を判定する。更に、音声出力制御部１２４は、動作判定部１２３による適否の判定結果に基づいて、判定結果メッセージを音声出力する。なお、動作判定部１２３及び音声出力制御部１２４によるこれらの処理（確認動作判定処理）の詳細は後述する。
【０１１５】
ステップＳ１３０５において、情報特定部１２２は、現在の車両３００の状況に基づいて特定した、注意喚起メッセージを音声出力する際に用いる情報に含まれる全ての注意喚起メッセージが音声出力されたか否かを判定する。ステップＳ１３０５において、まだ、音声出力されていない注意喚起メッセージがあると判定した場合には、ステップＳ１３０６に進む。
【０１１６】
ステップＳ１３０６において、情報特定部１２２は、カウンタｎをインクリメントする。その後、ステップＳ１３０３に戻る。
【０１１７】
一方、ステップＳ１３０５において、全ての注意喚起メッセージが音声出力されたと判定した場合には、ステップＳ１３０７に進む。ステップＳ１３０７において、動作判定部１２３は、音声出力された全ての注意喚起メッセージに対して、運転者３１０が適切な確認動作を行ったか否かを判定する。
【０１１８】
ステップＳ１３０７において、全ての注意喚起メッセージに対して運転者３１０が適切な確認動作を行ったと判定した場合には、ステップＳ１３０８に進む。ステップＳ１３０８において、音声出力制御部１２４は、評価メッセージを音声出力した後、ステップＳ１３０９に進む。
【０１１９】
一方、ステップＳ１３０７において、いずれかの注意喚起メッセージに対して運転者３１０が適切な確認動作を行わなかったと判定した場合には、直接、ステップＳ１３０９に進む。
【０１２０】
ステップＳ１３０９において、状況判定部１２１は、運転補助処理を終了するか否かを判定する。終了しないと判定した場合には、ステップＳ１３０１に戻る。一方、終了すると判定した場合には、運転補助処理を終了する。
【０１２１】
次に、図１３の状況判定処理（ステップＳ１３０１）の詳細について説明する。図１４は、状況判定処理のフローチャートである。ステップＳ１４０１において、状況判定部１２１は、ナビゲーション装置１１１より車両３００の現在の位置情報を受信する。
【０１２２】
ステップＳ１４０２において、状況判定部１２１は、受信した位置情報に含まれる、位置検出結果及び進路検出結果を抽出する。なお、位置検出結果には、交差点、分岐点、合流点のいずれかが含まれ、進路検出結果には、直進、右折、左折、右側へ分岐、左側へ分岐、右側から合流、左側から合流のいずれかが含まれる。
【０１２３】
状況判定部１２１は、位置検出結果及び進路検出結果に基づいて、現在の車両３００の状況が、動作情報６００または７００において定義された状況に該当するか否かを判定する。
【０１２４】
ステップＳ１４０２において、動作情報６００または７００において定義された状況に該当しないと判定した場合には、ステップＳ１４０１に戻る。一方、ステップＳ１４０２において、動作情報６００または７００において定義された状況に該当すると判定した場合には、ステップＳ１４０３に進む。
【０１２５】
ステップＳ１４０３において、情報特定部１２２は、状況判定部１２１が判定した状況に対応するＩＤを動作情報６００または７００より取得する。例えば、車両３００が交差点を直進する状況であると判定された場合、情報特定部１２２は、動作情報６００より、ＩＤ＝"１"、"２"、"３"を取得する。
【０１２６】
ステップＳ１４０４において、情報特定部１２２は、取得したＩＤに対応する注意喚起メッセージを取得する。例えば、取得したＩＤが"１"、"２"、"３"であった場合、情報特定部１２２は、対応する注意喚起メッセージとして"交差点です。一時停止してください。"、"左側を確認してください。"、"右側を確認してください。"を取得する。
【０１２７】
ステップＳ１４０５において、情報特定部１２２は、動作情報６００または７００を参照し、取得した注意喚起メッセージに基づいて運転者が確認すべき方向を特定し、特定した方向に関連付けて規定された仮想出力者を特定する。また、情報特定部１２２は、動作情報６００または７００を参照し、取得した注意喚起メッセージに関連付けて規定された、タイミング、順序を特定する。例えば、取得した注意喚起メッセージが"交差点です。一時停止してください。"であった場合、情報特定部１２２は、運転者が確認すべき方向として"前方"を特定し、"前方"に関連付けて規定された仮想出力者＝"車外前方の仮想出力者"を特定する。また、情報特定部１２２は、注意喚起メッセージ＝"交差点です。一時停止してください。"に関連付けて規定されたタイミング＝"Ｌ／Ｖ秒前"、順序＝"１"を特定する。同様に、取得した注意喚起メッセージが"左側を確認してください。"であった場合、情報特定部１２２は、仮想出力者＝"助手席の仮想同乗者"、タイミング＝"（Ｌ／Ｖ−１）秒前"、順序＝"２"を特定する。更に、取得した注意喚起メッセージが"右側を確認してください。"であった場合、情報特定部１２２は、仮想出力者＝"車外右側の仮想出力者"、タイミング＝"（Ｌ／Ｖ−２）秒前"、順序＝"３"を特定する。
【０１２８】
ステップＳ１４０６において、情報特定部１２２は、取得したＩＤ及び注意喚起メッセージと、特定した仮想出力者、タイミング、順序とを、注意喚起メッセージを音声出力する際に用いる情報として、音声出力制御部１２４に通知する。
【０１２９】
ステップＳ１４０７において、情報特定部１２２は、動作情報６００または７００を参照し、取得した注意喚起メッセージと関連付けて規定されている、順序、運転者の指差し方向、呼称内容、視線方向を特定する。例えば、取得した注意喚起メッセージが"交差点です。一時停止してください。"であった場合、情報特定部１２２は、順序＝"１"、指差し方向＝"前方"、呼称内容＝"一時停止よし"、視線方向＝"前方"を特定する。また、取得した注意喚起メッセージが"左側を確認してください。"であった場合、情報特定部１２２は、順序＝"２"、指差し方向＝"左側"、呼称内容＝"左側よし"、視線方向＝"左側"を特定する。更に、取得した注意喚起メッセージが"右側を確認してください。"であった場合、情報特定部１２２は、順序＝"３"、指差し方向＝"右側"、呼称内容＝"右側よし"、視線方向＝"右側"を特定する。
【０１３０】
ステップＳ１４０８において、情報特定部１２２は、取得したＩＤと、特定した順序、指差し方向、呼称内容、視線方向とを、運転者の確認動作の適否を判定する際に用いる情報として、動作判定部１２３に通知する。その後、状況判定部１２１は、図１３のステップＳ１３０２に戻る。
【０１３１】
次に、図１３の注意喚起メッセージ出力処理（ステップＳ１３０３）の詳細について説明する。図１５は、注意喚起メッセージ出力処理のフローチャートである。ステップＳ１５０１において、音声出力制御部１２４は、情報特定部１２２より通知された、注意喚起メッセージを音声出力する際に用いる情報に含まれる各仮想出力者のうち、順序＝"ｎ"に対応する仮想出力者に基づいて、音声属性情報９００を参照する。これにより、音声出力制御部１２４は、順序＝"ｎ"に対応する仮想出力者が音声出力を行う際の、第１の音声出力部１３１〜第６の音声出力部１３６の制御情報を取得する。例えば、順序＝"１"の場合、音声出力制御部１２４は、車外前方の仮想出力者が音声出力を行う際の制御情報（音量、位相ずれ）を取得する。
【０１３２】
ステップＳ１５０２において、音声出力制御部１２４は、現在のタイミングが、情報特定部１２２より通知された、注意喚起メッセージを音声出力する際に用いる情報に含まれる各タイミングのうち、順序＝"ｎ"に対応するタイミングに該当するか否かを判定する。例えば、順序＝"１"の場合、音声出力制御部１２４は、現在のタイミングが、交差点に到達する（Ｌ／Ｖ）秒前に該当するか否かを判定する。
【０１３３】
ステップＳ１５０２において、順序＝"ｎ"に対応するタイミングに該当しないと判定した場合には、順序＝"ｎ"に対応するタイミングに該当するまで待機する。一方、ステップＳ１５０２において、順序＝"ｎ"に対応するタイミングに該当すると判定した場合には、ステップＳ１５０３に進む。
【０１３４】
ステップＳ１５０３において、音声出力制御部１２４は、情報特定部１２２より通知された各注意喚起メッセージのうち、順序＝"ｎ"に対応する注意喚起メッセージを、第１の音声出力部１３１〜第６の音声出力部１３６を介して音声出力する。なお、音声出力制御部１２４は、ステップＳ１５０１において取得した制御情報に基づいて音声出力を行う。その後、音声出力制御部１２４は、図１３のステップＳ１３０４に戻る。
【０１３５】
次に、図１３の確認動作判定処理（ステップＳ１３０４）の詳細について説明する。図１６は、確認動作判定処理の第１のフローチャートである。ステップＳ１６０１において、動作判定部１２３は、ジェスチャ検出部１１３より、指差し方向情報を受信する。
【０１３６】
ステップＳ１６０２において、動作判定部１２３は、情報特定部１２２より通知された、運転者の確認動作の適否を判定する際に用いる情報に含まれる各指差し方向のうち、順序＝"ｎ"に対応する指差し方向を読み出す。例えば、順序＝"１"の場合、動作判定部１２３は、指差し方向＝"前方"を読み出す。
【０１３７】
ステップＳ１６０３において、動作判定部１２３は、ステップＳ１６０１において取得した指差し方向情報と、ステップＳ１６０２において読み出した"指差し方向"とが一致するか否かを判定する。ステップＳ１６０３において、一致すると判定した場合、ステップＳ１６１０に進む。
【０１３８】
一方、ステップＳ１６０３において、一致しないと判定した場合、動作判定部１２３は、運転者３１０のジェスチャ（指差し動作）が適切でないと判定し、ステップＳ１６０４に進む。
【０１３９】
ステップＳ１６０４において、動作判定部１２３は、音声検出部１１４より、呼称情報を受信する。
【０１４０】
ステップＳ１６０５において、動作判定部１２３は、情報特定部１２２より通知された、運転者の確認動作の適否を判定する際に用いる情報に含まれる各呼称内容のうち、順序＝"ｎ"に対応する呼称内容を読み出す。例えば、順序＝"１"の場合、動作判定部１２３は、呼称内容＝"一時停止よし"を読み出す。
【０１４１】
ステップＳ１６０６において、動作判定部１２３は、ステップＳ１６０４において受信した呼称情報と、ステップＳ１６０５において読み出した"呼称内容"とが一致するか否かを判定する。ステップＳ１６０６において、一致すると判定した場合、動作判定部１２３は、運転者３１０の呼称が適切であると判定し、ステップＳ１６１０に進む。
【０１４２】
一方、ステップＳ１６０６において、一致しないと判定した場合、動作判定部１２３は、運転者３１０の呼称が適切でないと判定し、ステップＳ１６０７に進む。
【０１４３】
ステップＳ１６０７において、動作判定部１２３は、視線検出部１１５より、視線方向情報を受信する。
【０１４４】
ステップＳ１６０８において、動作判定部１２３は、情報特定部１２２より通知された、運転者の確認動作の適否を判定する際に用いる情報に含まれる各視線方向のうち、順序＝"ｎ"に対応する視線方向を読み出す。例えば、順序＝"１"の場合、動作判定部１２３は、視線方向＝"前方"を読み出す。
【０１４５】
ステップＳ１６０９において、動作判定部１２３は、ステップＳ１６０７において受信した視線方向情報と、ステップＳ１６０８において読み出した"視線方向"とが一致するか否かを判定する。ステップＳ１６０９において、一致すると判定した場合、動作判定部１２３は、運転者３１０の視線方向が適切であると判定し、ステップＳ１６１０に進む。
【０１４６】
一方、ステップＳ１６０９において、一致しないと判定した場合、動作判定部１２３は、運転者３１０の視線方向が適切でないと判定し、ステップＳ１６２１に進む。
【０１４７】
ステップＳ１６１０において、動作判定部１２３は、運転者３１０によって適切な確認動作が行われたと判定する。また、ステップＳ１６１１において、動作判定部１２３は、順序＝"ｎ"に対応するＩＤに基づいて、判定結果出力情報８００の"適切な確認動作が行われた場合"を参照し、対応する判定結果メッセージ及び仮想出力者を読み出し、音声出力制御部１２４に通知する。例えば、順序＝"１"の場合、ＩＤ＝"１"に基づいて判定結果出力情報８００の"適切な確認動作が行われた場合"を参照し、判定結果メッセージとして"一時停止よし"を読み出し、仮想出力者として"仮想同乗者全員"を読み出す。
【０１４８】
ステップＳ１６１２において、音声出力制御部１２４は、動作判定部１２３より通知された仮想出力者に基づいて音声属性情報９００を参照することで制御情報（音量、位相ずれ）を取得する。
【０１４９】
ステップＳ１６１３において、音声出力制御部１２４は、動作判定部１２３より通知された判定結果メッセージを、ステップＳ１６１２において取得した制御情報に基づいて、第１の音声出力部１３１〜第６の音声出力部１３６を介して音声出力する。その後、音声出力制御部１２４は、図１３のステップＳ１３０５に戻る。
【０１５０】
一方、ステップＳ１６２１において、動作判定部１２３は、運転者３１０によって適切な確認動作が行われなかったと判定する。また、ステップＳ１６２２において、動作判定部１２３は、順序＝"ｎ"に対応するＩＤに基づいて、判定結果出力情報８００の"適切な確認動作が行われなかった場合"を参照する。そして、動作判定部１２３は、対応する判定結果メッセージ及び仮想出力者を読み出し、音声出力制御部１２４に通知する。例えば、順序＝"１"の場合、動作判定部１２３は、ＩＤ＝"１"に基づいて判定結果出力情報８００の"適切な確認動作が行われなかった場合"を参照し、判定結果メッセージとして"一時停止の確認を怠っています"を読み出す。また、動作判定部１２３は、仮想出力者として"車外前方の仮想出力者"を読み出す。
【０１５１】
ステップＳ１６２３において、音声出力制御部１２４は、動作判定部１２３より通知された仮想出力者に基づいて音声属性情報９００を参照することで制御情報（音量、位相ずれ）を取得する。
【０１５２】
ステップＳ１６２４において、音声出力制御部１２４は、動作判定部１２３より通知された判定結果メッセージを、ステップＳ１６２３において取得した制御情報に基づいて、第１の音声出力部１３１〜第６の音声出力部１３６を介して音声出力する。その後、音声出力制御部１２４は、図１３のステップＳ１３０５に戻る。
【０１５３】
次に、車両３００の所定の状況における仮想同乗者３１１〜３１４または仮想同乗者以外の仮想出力者３３１〜３３４と運転者３１０とのコミュニケーションの流れについて説明する。図１７及び図１８は、所定の状況における仮想出力者と運転者とのコミュニケーションの一例を示す第１及び第２の図である。
【０１５４】
このうち、図１７は、車両３００が交差点を直進する際に、運転者３１０が適切な確認動作を行った場合のコミュニケーションの流れを示している。図１７に示すように、車両３００が交差点に進入する前に、車外前方の位置に配置された仮想出力者３３１は、"交差点です。一時停止してください。"との注意喚起メッセージを音声出力する。
【０１５５】
運転者３１０は、車外前方の位置に配置された仮想出力者３３１から音声出力された注意喚起メッセージを認識して車外前方を視認し、「一時停止よし」と呼称したとする。運転者３１０の当該確認動作は適切である。このため、運転者３１０の呼称は、車両３００の仮想同乗者３１１〜３１４全員によって復唱される。つまり、仮想同乗者３１１〜３１４は、判定結果メッセージとして"一時停止よし"を音声出力する。
【０１５６】
続いて、助手席３２２の位置に配置された仮想同乗者３１１は、"左側を確認してください。"との注意喚起メッセージを音声出力する。
【０１５７】
運転者３１０は、助手席３２２の位置に配置された仮想同乗者３１１から音声出力された注意喚起メッセージを認識して左側を視認し、「左側よし」と呼称したとする。運転者３１０の当該確認動作は適切である。このため、運転者３１０の呼称は、車両３００の仮想同乗者３１１〜３１４全員によって復唱される。つまり、仮想同乗者３１１〜３１４は判定結果メッセージとして"左側よし"を音声出力する。
【０１５８】
続いて、車外右側の位置に配置された仮想出力者３３３は、"右側を確認してください。"との注意喚起メッセージを音声出力する。
【０１５９】
運転者３１０は、車外右側の位置に配置された仮想出力者３３３から音声出力された注意喚起メッセージを認識して右側を視認し、「右側よし」と呼称したとする。運転者３１０の当該確認動作は適切である。このため、運転者３１０の呼称は、車両３００の仮想同乗者３１１〜３１４全員によって復唱される。つまり、仮想同乗者３１１〜３１４は判定結果メッセージとして"右側よし"を音声出力する。
【０１６０】
更に、交差点を直進する際に音声出力すべき注意喚起メッセージが全て音声出力され、音声出力された全ての注意喚起メッセージに対して運転者３１０が適切な確認動作を行ったため、評価メッセージとして"適切な運転です。"が音声出力される。なお、評価メッセージは、助手席３２２の位置に配置された仮想同乗者３１１により音声出力される。
【０１６１】
一方、図１８は、車両３００が交差点に直進する際に、運転者３１０が、確認動作の一部を適切に行わなかった場合のコミュニケーションの流れを示している。図１８に示すように、車両３００が交差点に進入する前に、車外前方の位置に配置された仮想出力者３３１は、"交差点です。一時停止してください。"との注意喚起メッセージを音声出力する。
【０１６２】
運転者３１０は、車外前方の位置に配置された仮想出力者３３１から音声出力された注意喚起メッセージを認識して車外前方を視認し、「一時停止よし」と呼称したとする。運転者３１０の当該確認動作は適切である。このため、運転者３１０の呼称は、車両３００の仮想同乗者３１１〜３１４全員によって復唱される。つまり、仮想同乗者３１１〜３１４は判定結果メッセージとして"一時停止よし"を音声出力する。
【０１６３】
続いて、助手席３２２の位置に配置された仮想同乗者３１１は、"左側を確認してください。"との注意喚起メッセージを音声出力する。
【０１６４】
ここで、運転者３１０は、助手席３２２の位置に配置された仮想同乗者３１１から音声出力された注意喚起メッセージを認識したにも関わらず、左側を視認せず、「左側よし」の呼称も指差し動作も行わなかったとする。
【０１６５】
この場合、助手席３２２の位置に配置された仮想同乗者３１１は、判定結果メッセージとして"左側の確認を怠っています。"を音声出力する。
【０１６６】
ここでも、運転者３１０が、左側を視認せず、「左側よし」の呼称も指差し動作も行わなかった場合には、車外右側の位置に配置された仮想出力者３３３は、次の注意喚起メッセージとして"右側を確認してください。"を音声出力する。
【０１６７】
ここで、運転者３１０は、車外右側の位置に配置された仮想出力者３３３から音声出力された注意喚起メッセージを認識したにも関わらず、右側を視認せず、「右側よし」の呼称も指差し動作も行わなかったとする。
【０１６８】
この場合、助手席３２２の位置に配置された仮想同乗者３１１は、判定結果メッセージとして"右側の確認を怠っています。"を音声出力する。
【０１６９】
このように、注意喚起システム１００によれば、仮想出力者と運転者３１０との間のコミュニケーションを、運転者３１０の確認動作の適否に応じて変更することができる。
【０１７０】
以上の説明から明らかなように、第１の実施形態における注意喚起システムは、運転者に対して注意喚起メッセージを音声出力すべき状況になった場合に、注意喚起メッセージに基づいて運転者が確認（注意）すべき方向を特定する。また、第１の実施形態における注意喚起システムは、特定した方向に関連付けて規定されている仮想出力者を特定する。更に、第１の実施形態における注意喚起システムは、特定した仮想出力者が注意喚起メッセージを音声出力するよう、特定した仮想出力者に関連付けて格納された制御情報に基づいて、複数の音声出力部を介して注意喚起メッセージを音声出力する。
【０１７１】
これにより、運転者は、運転操作中に注意喚起メッセージが音声出力された場合であっても、確認すべき方向を直感的に把握することができる。この結果、第１の実施形態における注意喚起システムによれば、運転操作中に運転者に対して行う注意喚起を運転者が容易に把握し、迅速に確認動作を行うことができるようになる。
【０１７２】
つまり、第１の実施形態における注意喚起システムによれば、運転者による迅速な安全確認を支援することが可能になる。
【０１７３】
また、第１の実施形態における注意喚起システムは、運転者の確認動作の適否を判定し、判定結果に応じて異なる判定結果メッセージを音声出力する。
【０１７４】
これにより、運転者は、自身の確認動作が適切であったか否かを認識することができるため、確認動作を行うことに対する実行意欲を向上させるとともに、運転操作を通じて適切な確認動作を習熟することができる。
【０１７５】
［第２の実施形態］
上記第１の実施形態では、運転者が適切な確認動作を行った後に、仮想同乗者が復唱を行うものとして説明した。これに対して、第２の実施形態では、先に仮想同乗者（または仮想同乗者以外の仮想出力者）が注意喚起メッセージに応じた呼称を行い、運転者が復唱しながら確認動作を行う。以下、第２の実施形態について、第１の実施形態との相違点を中心に説明する。
【０１７６】
はじめに、第２の実施形態における確認動作判定処理の流れについて説明する。図１９は、確認動作判定処理の第２のフローチャートである。図１６に示した、確認動作判定処理の第１のフローチャートとの相違点は、図１９の場合、ステップＳ１６１１〜Ｓ１６１４の代わりに、ステップＳ１９０１〜Ｓ１９０３が含まれている点である。
【０１７７】
ステップＳ１９０１において、動作判定部１２３は、情報特定部１２２より通知された、運転者の確認動作の適否を判定する際に用いる情報に含まれる各呼称内容及び各仮想出力者のうち、順序＝"ｎ"に対応する呼称内容及び仮想出力者を読み出す。例えば、順序＝"１"の場合、動作判定部１２３は、呼称内容として"一時停止よし"を読み出し、仮想出力者として"車外前方の仮想出力者"を読み出す。
【０１７８】
ステップＳ１９０２において、動作判定部１２３は、音声属性情報９００を参照し、ステップＳ１９０１において読み出した仮想出力者に対応する制御情報（音量及び位相ずれ）を取得する。
【０１７９】
ステップＳ１９０３において、動作判定部１２３は、ステップＳ１９０１において読み出した呼称内容を、ステップＳ１９０２において取得した制御情報に基づいて、第１の音声出力部１３１〜第６の音声出力部１３６を介して音声出力する。以降、ステップＳ１６０１からの処理は、図１６を用いて説明済みであるため、ここでは説明を省略する。
【０１８０】
なお、図１９では、ステップＳ１６０３において、運転者のジェスチャが適切であると判定した場合に、直接、図１３のステップＳ１３０６に戻る。同様に、ステップＳ１６０６において、運転者の呼称が適切であると判定した場合、及び、ステップＳ１６０９において、運転者の視線方向が適切であると判定した場合に、直接、図１３のステップＳ１３０６に戻る。
【０１８１】
次に、車両３００の所定の状況における、仮想同乗者３１１〜３１４または仮想同乗者以外の仮想出力者３３１〜３３４と運転者３１０とのコミュニケーションの流れについて説明する。図２０及び図２１は、所定の状況における仮想出力者と運転者とのコミュニケーションの一例を示す第３及び第４の図である。
【０１８２】
このうち、図２０は、車両３００が交差点を直進する際に、運転者３１０が適切な確認動作を行った場合のコミュニケーションの流れを示している。図２０に示すように、車両３００が交差点に進入する前に、車外前方の位置に配置された仮想出力者３３１は、"交差点です。一時停止してください。"との注意喚起メッセージを音声出力する。続いて、車外前方の位置に配置された仮想出力者３３１は、呼称として、"一時停止よし"を音声出力する。
【０１８３】
運転者３１０は、車外前方の位置に配置された仮想出力者３３１から注意喚起メッセージが音声出力されたことに応じて前方を視認する。また、運転者３１０は、車外前方の位置に配置された仮想出力者３３１から呼称内容が音声出力されたことに応じて、「一時停止よし」を復唱する。
【０１８４】
続いて、助手席３２２の位置に配置された仮想同乗者３１１は、"左側を確認してください。"との注意喚起メッセージを音声出力する。更に、助手席３２２の位置に配置された仮想同乗者３１１は、呼称として、"左側よし"を音声出力する。
【０１８５】
運転者３１０は、助手席３２２の位置に配置された仮想同乗者３１１から注意喚起メッセージが音声出力されたことに応じて左側を視認する。また、運転者３１０は、助手席３２２の位置に配置された仮想同乗者３１１から呼称内容が音声出力されたことに応じて、「左側よし」を復唱する。
【０１８６】
続いて、車外右側の位置に配置された仮想出力者３３３は、"右側を確認してください。"との注意喚起メッセージを音声出力する。更に、車外右側の位置に配置された仮想出力者３３３は、呼称として、"右側よし"を音声出力する。
【０１８７】
運転者３１０は、車外右側の位置に配置された仮想出力者３３３から注意喚起メッセージが音声出力されたことに応じて右側を視認する。また、運転者３１０は、車外右側の位置に配置された仮想出力者３３３から呼称内容が音声出力されたことに応じて、「右側よし」を復唱する。
【０１８８】
更に、交差点を直進する際に音声出力すべき注意喚起メッセージが全て音声出力され、音声出力された全ての注意喚起メッセージに対して運転者３１０が適切な確認動作を行ったため、評価メッセージとして、"適切な運転です。"が音声出力される。なお、評価メッセージは、助手席３２２の位置に配置された仮想同乗者３１１より音声出力される。
【０１８９】
一方、図２１は、車両３００が交差点を直進する際に、運転者３１０が確認動作の一部を適切に行わなかった場合のコミュニケーションの流れを示している。図２１に示すように、車両３００が交差点に進入する前に、車外前方の位置に配置された仮想出力者３３１は、"交差点です。一時停止してください。"との注意喚起メッセージを音声出力する。続いて、車外前方の位置に配置された仮想出力者３３１は、呼称として、"一時停止よし"を音声出力する。
【０１９０】
運転者３１０は、車外前方の位置に配置された仮想出力者３３１から注意喚起メッセージが音声出力されたことに応じて前方を視認する。また、運転者３１０は、車外前方の位置に配置された仮想出力者３３１から呼称内容が音声出力されたことに応じて、「一時停止よし」を復唱する。
【０１９１】
続いて、助手席３２２の位置に配置された仮想同乗者３１１は、"左側を確認してください。"との注意喚起メッセージを音声出力する。更に、助手席３２２の位置に配置された仮想同乗者３１１は、呼称として、"左側よし"を音声出力する。
【０１９２】
ここで、運転者３１０は、助手席３２２の位置に配置された仮想同乗者３１１から呼称が行われたことを認識したが、左側を視認せず、「左側よし」を復唱することもなかったとする。また、運転者３１０は、左方向に指差し動作をすることもなかったとする。
【０１９３】
この場合、助手席３２２の位置に配置された仮想同乗者３１１は、判定結果メッセージとして"左側の確認を怠っています。"を音声出力する。
【０１９４】
ここでも、運転者３１０が、左側を視認せず、「左側よし」の呼称も指差し動作も行わなかった場合、車外右側の位置に配置された仮想出力者３３３は、次の注意喚起メッセージとして"右側を確認してください。"を音声出力する。更に、車外右側の位置に配置された仮想出力者３３３は、呼称として、"右側よし"を音声出力する。
【０１９５】
ここで、運転者３１０は、車外右側の位置に配置された仮想出力者３３３から呼称が行われたことを認識したが、右側を視認せず、「右側よし」を復唱することもなかったとする。また、運転者３１０は、右方向に指差し動作をすることもなかったとする。
【０１９６】
この場合、助手席３２２の位置に配置された仮想同乗者３１１は、判定結果メッセージとして、"右側の確認を怠っています。"を音声出力する。
【０１９７】
以上の説明から明らかなように、第２の実施形態における注意喚起システムは、運転者に対して注意喚起メッセージを音声出力すべき状況になった場合に、注意喚起メッセージに基づいて、運転者が確認（注意）すべき方向を特定する。また、第２の実施形態における注意喚起システムは、特定した方向に関連付けて規定されている仮想出力者を特定する。また、第２の実施形態における注意喚起システムは、特定した仮想出力者が注意喚起メッセージを音声出力するよう、特定した仮想出力者に関連付けて格納された制御情報に基づいて、複数の音声出力部を介して注意喚起メッセージを音声出力する。更に、第２の実施形態における注意喚起システムは、注意喚起メッセージに続いて、確認動作のための呼称を音声出力する。
【０１９８】
これにより、運転者は、運転操作中に注意喚起メッセージが音声出力された場合であっても、確認すべき方向を直感的に把握することができるうえ、仮想出力者の呼称内容を復唱することができるため、呼称すべき内容を運転者自身が改めて考える必要もなくなる。この結果、第２の実施形態における注意喚起システムによれば、運転操作中に運転者に対して行う注意喚起を運転者は容易に把握し、呼称による確認動作を迅速に行うことができるようになる。
【０１９９】
つまり、第２の実施形態における注意喚起システムによれば、運転者による迅速な安全確認を支援することが可能になる。
【０２００】
［第３の実施形態］
上記第１及び第２の実施形態では、動作情報６００及び７００が予め定義されており、状況判定部１２１及び情報特定部１２２が、予め定義された動作情報６００及び７００に基づいて状況判定処理を実行するものとして説明した。これに対して、第３の実施形態では、運転者３１０の確認動作に関する情報をフィードバックし、動作情報更新部が動作情報６００及び７００を更新する。そして、状況判定部１２１及び情報特定部１２２は、更新された動作情報６００及び７００に基づいて状況判定処理を実行する。以下、第３の実施形態について、上記第１の実施形態との相違点を中心に説明する。
【０２０１】
はじめに、第３の実施形態における注意喚起システムのシステム構成について説明する。図２２は、注意喚起システムの構成例を示す第２の図である。図１に示した注意喚起システム１００との相違点は、図２２の注意喚起システム２２００の場合、注意喚起用ＥＣＵ１２０が、動作情報更新部２２０１を有している点である。
【０２０２】
動作情報更新部２２０１は、動作判定部１２３が運転者３１０の確認動作の適否を判定した場合に、動作判定部１２３より適否の判定結果を取得する。
【０２０３】
また、動作情報更新部２２０１は、動作判定部１２３より運転者３１０の確認動作が適切であったとの判定結果を取得した場合に、注意喚起メッセージが音声出力されたタイミングと、運転者３１０の確認動作が行われたタイミングとの間の時間差を算出する。
【０２０４】
更に、動作情報更新部２２０１は、算出した時間差に基づいて、注意喚起メッセージを音声出力するタイミングと、運転者３１０が確認動作を行うタイミングとの調和度を算出し、算出した調和度に基づいて、動作情報６００及び７００を更新する。
【０２０５】
図２３は、動作情報更新部の機能構成の詳細を示す図である。図２３に示すように、動作情報更新部２２０１は、調和度算出部２３０１、メッセージ内容更新部２３０２、メッセージ個数更新部２３０３、タイミング更新部２３０４を有する。
【０２０６】
調和度算出部２３０１は、注意喚起メッセージを音声出力するタイミングと、運転者３１０の確認動作が行われたタイミングとの間の時間差に基づいて、調和度を算出する。調和度算出部２３０１は、例えば、注意喚起メッセージを音声出力するタイミングと、運転者３１０の確認動作が行われたタイミングとの間の時間差の逆数に、所定の係数をかけ合わせることで、調和度を算出する。
【０２０７】
メッセージ内容更新部２３０２は、調和度算出部２３０１において算出された調和度に基づいて、動作情報６００及び７００に格納された"注意喚起メッセージ"の内容を更新する。メッセージ内容更新部２３０２は、例えば、調和度の経時変化を監視しておき、調和度が上がる傾向にあった場合に、"注意喚起メッセージ"の内容を更新する。
【０２０８】
なお、メッセージ内容更新部２３０２による更新方法は任意である。例えば、動作情報６００において、交差点直進時の注意喚起メッセージとして、ＩＤ＝"１"〜"３"の３つの注意喚起メッセージが格納されているが、このうち、ＩＤ＝"２"、"３"をまとめた注意喚起メッセージに更新してもよい。具体的には、"左側を確認してください。"と"右側を確認してください。"とを、"左右を確認してください。"にまとめてもよい。あるいは、ＩＤ＝"１"〜"３"をすべてまとめた注意喚起メッセージに更新してもよい。具体的には、"一時停止をして、左右を確認してください。"にまとめてもよい。
【０２０９】
メッセージ個数更新部２３０３は、調和度算出部２３０１において算出された調和度に基づいて、動作情報６００及び７００に格納された"注意喚起メッセージの"一部を、削除し、注意喚起メッセージの数を減らす。メッセージ個数更新部２３０３は、例えば、ＩＤごとに調和度を判定し、調和度が所定の閾値を超えていると判定した場合に、対応する注意喚起メッセージを削除する。調和度が所定の閾値を超えているということは、運転者３１０は適切な確認動作を習熟しているといえるからである。
【０２１０】
例えば、動作情報６００において、交差点直進時の注意喚起メッセージとして、ＩＤ＝"１"〜"３"の３つの注意喚起メッセージが格納されているが、このうち、ＩＤ＝"２"、"３"の調和度が所定の閾値を超えていると判定されたとする。この場合、メッセージ個数更新部２３０３は、交差点直進時の適切な左右確認動作を運転者３１０が習熟していると判定し、ＩＤ＝"２"、"３"を動作情報６００から削除する。
【０２１１】
タイミング更新部２３０４は、調和度算出部２３０１において調和度を算出する際に算出した時間差に基づいて、動作情報６００及び７００に規定された"タイミング"を変更する。タイミング更新部２３０４は、例えば、注意喚起メッセージを音声出力するタイミングと、運転者３１０の確認動作が行われたタイミングとの時間差が小さくなるように、"タイミング"に規定された"Ｌ"の値を調整する。
【０２１２】
これにより、注意喚起システム２２００は、運転者３１０の運転操作の癖に見合ったタイミングで、注意喚起メッセージを音声出力することが可能となる。
【０２１３】
次に、第３の実施形態における注意喚起用ＥＣＵ１２０により実行される運転補助処理の流れについて説明する。図２４は、運転補助処理の第２のフローチャートである。なお、図１３に示す運転補助処理との相違点は、ステップＳ２４０１、ステップＳ２４０２である。
【０２１４】
ステップＳ２４０１において、動作情報更新部２２０１の調和度算出部２３０１は、注意喚起メッセージそれぞれが音声出力されたタイミングと、注意喚起メッセージの音声出力に応じて運転者３１０により行われた確認動作のタイミングとの時間差を算出する。また、調和度算出部２３０１は、算出した時間差に基づいて、それぞれの注意喚起メッセージの調和度を算出する。
【０２１５】
ステップＳ２４０２において、動作情報更新部２２０１のメッセージ内容更新部２３０２は、ステップＳ２４０１において算出されたそれぞれの調和度の経時変化を判定する。判定の結果、調和度が上昇傾向にあると判定された注意喚起メッセージについて、メッセージ内容更新部２３０２は、メッセージの内容を更新する。
【０２１６】
また、メッセージ個数更新部２３０３は、ステップＳ２４０１において算出されたそれぞれの調和度が、所定の閾値を超えているか否かを判定する。所定の閾値を超えていると判定した場合、メッセージ個数更新部２３０３は、対応する注意喚起メッセージを動作情報６００または７００から削除する。
【０２１７】
更に、タイミング更新部２３０４は、ステップＳ２４０１において調和度を算出する際に算出された時間差に基づいて、動作情報６００及び７００の"タイミング"に規定された"Ｌ"の値を更新する。
【０２１８】
このように、注意喚起メッセージの調和度に基づいて、動作情報６００及び７００を更新することで、運転者３１０の運転操作の癖を考慮した動作情報に更新していくことが可能となる。
【０２１９】
以上の説明から明らかなように、第３の実施形態における注意喚起システムは、注意喚起メッセージが音声出力されたタイミングと、運転者の確認動作が行われたタイミングとに基づいて、調和度を算出する。また、第３の実施形態における注意喚起システムは、算出した調和度に基づいて、動作情報の注意喚起メッセージの内容、個数、タイミングを更新する。これにより、第３の実施形態における注意喚起システムによれば、運転者の運転操作に見合った動作情報に更新することが可能となる。
【０２２０】
［第４の実施形態］
上記第１及び第２の実施形態において情報特定部１２２は、現在の車両３００の状況に基づいて、注意喚起メッセージを取得し、取得した注意喚起メッセージに基づいて、運転者３１０が確認すべき方向を特定した。これに対して、第４の実施形態では、現在の車両３００の状況に基づいて、運転者３１０が確認すべき方向を特定する。
【０２２１】
このように注意喚起メッセージを介さずに運転者３１０が確認すべき方向を特定することで、注意喚起システム１００は、運転補助処理（図１３）において、注意喚起メッセージ出力処理を実行することなく、確認動作判定処理を実行することが可能となる。
【０２２２】
この場合、注意喚起システム１００では、現在の車両３００の状況が動作情報６００または７００の"状況"に定義された状況になったと判定すると、確認動作判定処理（ステップＳ１３０４）を実行する。そして、運転者３１０の確認動作の適否に応じた判定結果メッセージを、運転者３１０の確認動作の適否に応じた仮想出力者が音声出力する。
【０２２３】
具体例（交差点直進時）を挙げて説明する。第４の実施形態における注意喚起システム１００の場合、車両３００が交差点に進入する場合であっても、注意喚起メッセージが音声出力されることはない。
【０２２４】
一方で、運転者３１０が、自発的に、前方の指差し動作と左側の指差し動作とを行ったとする。また、運転者３１０が右側の指差し動作を怠ったとする。この場合、第４の実施形態における注意喚起システム１００は、仮想同乗者全員が"一時停止よし"及び"左側よし"との判定結果メッセージを音声出力する。また、車外右側の仮想出力者３３３が、"右側の確認を怠っています。"との判定結果メッセージを音声出力する。
【０２２５】
このように、第４の実施形態における注意喚起システムによれば、運転補助処理において、注意喚起メッセージ出力処理を実行することなく、確認動作判定処理を実行することが可能となる。
【０２２６】
［第５の実施形態］
上記第１乃至第３の実施形態において、情報特定部１２２は、動作情報格納部１２５の動作情報を参照して、運転者に対して音声出力する注意喚起メッセージを特定した。しかしながら、情報特定部１２２が特定する注意喚起メッセージは、動作情報格納部１２５の動作情報に規定された注意喚起メッセージに限定されない。例えば、情報特定部１２２は、周辺環境検出部１１６より送信された周辺環境情報に基づいて、注意喚起メッセージを特定するようにしてもよい。
【０２２７】
具体的には、交差点直進時に周辺環境検出部１１６が歩行者を検出した場合、情報特定部１２２は、"歩行者を確認してください"を注意喚起メッセージして特定するようにしてもよい。
【０２２８】
また、上記第１乃至第３の実施形態において、情報特定部１２２は、動作情報格納部１２５の動作情報を参照して、注意喚起メッセージを音声出力するタイミング及び順序を特定した。しかしながら、情報特定部１２２が特定するタイミング及び順序は、動作情報格納部１２５の動作情報に規定されたタイミング及び順序に限定されない。例えば、情報特定部１２２は、周辺環境検出部１１６より送信された周辺環境情報に基づいて、注意喚起メッセージを音声出力するタイミング及び順序を変更するようにしてもよい。
【０２２９】
具体的には、交差点右折時に周辺環境検出部１１６が歩行者を検出した場合、情報特定部１２２は、注意喚起メッセージを音声出力する順序として、"右前方を確認してください。"と"歩行者を確認してください。"とを入れ替えるようにしてもよい。
【０２３０】
また、交差点左折時に周辺環境検出部１１６が歩行者を検出した場合、情報特定部１２２は、"二輪車が来ていないか確認してください"を音声出力するタイミングを、歩行者がいなくなったタイミングに変更するようにしてもよい。
【０２３１】
また、上記第１乃至第４の実施形態において、動作判定部１２３は、動作情報６００、７００の"確認動作"に規定された動作を運転者３１０が行ったか否かを判定するものとして説明した。しかしながら、動作情報６００、７００に規定された確認動作を運転者３１０が行ったか否かを判定することに加えて、あるいは判定する代わりに、運転者３１０が行った確認動作の動作内容が正しいか否かを周辺環境情報に基づいて判定するようにしてもよい。更に、動作内容が正しいか否かの判定結果に基づいて、音声出力制御部１２４が、判定結果メッセージを音声出力するようにしてもよい。
【０２３２】
例えば、交差点右折時に、注意喚起メッセージとして"歩行者を確認してください。"が音声出力され、運転者３１０が「歩行者なし」と呼称したとする。この場合、動作判定部１２３は、周辺環境情報に基づいて右折先の歩行者の有無を判定し、歩行者がいると判定した場合には、判定結果出力情報８００に規定された判定結果メッセージを音声出力するようにしてもよい。
【０２３３】
このように、運転者３１０が確認動作を行ったか否かを判定するだけでなく、運転者３１０が行った確認動作が正しいか否かまで判定することで、事故の発生可能性をより低減させることが可能となる。
【０２３４】
［第６の実施形態］
上記第１乃至第５の実施形態では、音声出力制御部１２４が、現在の車両３００の状況において音声出力すべき注意喚起メッセージを全て音声出力すると、評価メッセージを音声出力するものとして説明した。しかしながら、評価メッセージは、所定時間が経過するごとに音声出力するようにしてもよい。所定時間が経過するまでの間に、複数の状況に該当した場合には、それぞれの状況における運転者３１０の確認動作を評価し、評価結果を加算していくようにしてもよい。そして、所定時間が経過した場合に、加算した評価結果を総合評価として、音声出力制御部１２４がまとめて音声出力するようにしてもよい。
【０２３５】
なお、所定時間が経過するまでの間のそれぞれの状況における評価結果の加算値は、例えば、レベルメータとして表示するようにしてもよい。
【０２３６】
また、上記第１乃至第５の実施形態では、音声出力制御部１２４が、評価メッセージを音声出力するものとして説明したが、評価メッセージに加えて、種々の効果音（称賛をイメージする音や、拍手音等）を出力するようにしてもよい。
【０２３７】
［その他の実施形態］
上記第１乃至第６の実施形態では、運転者３１０が確認すべき方向に配置された仮想出力者から、注意喚起メッセージを音声出力するように制御するものとして説明した。しかしながら、注意喚起メッセージを音声出力する仮想出力者は、運転者３１０が確認すべき方向に配置された仮想出力者に限定されない。例えば、運転者３１０が確認すべき方向と声色または役割とを関連付け、運転者３１０が確認すべき方向に関連付けられた声色または役割を有する仮想出力者が、注意喚起メッセージを音声出力するようにしてもよい。
【０２３８】
また、上記第１乃至第６の実施形態では、車両が交差点、分岐点、合流点に到達した場合の運転補助処理に説明したが、例えば、踏切や駐車場に到達した場合についても、同様に運転補助処理を実行することが可能である。
【０２３９】
また、上記第１乃至第６の実施形態では、注意喚起メッセージを音声出力するための制御を行う注意喚起装置を、注意喚起用ＥＣＵ１２０を用いて実現したが、例えば、ナビゲーション装置１１１を用いて実現するようにしてもよい。
【０２４０】
また、上記第１乃至第６の実施形態では、注意喚起システムを、車両に適用する場合について説明したが、注意喚起システムを適用する対象は、車両に限定されない。例えば、列車や船舶等、運転者が運転操作する乗り物であれば任意の乗り物に適用することが可能である。
【０２４１】
また、上記第１乃至第６の実施形態では、注意喚起システムが、注意喚起用ＥＣＵ１２０に各種プログラムを格納したうえで、車両等に搭載されるものとして説明した。しかしながら、注意喚起用ＥＣＵ１２０に格納される各種プログラムは、注意喚起システムが車両等に搭載された後に、ネットワークからダウンロードして格納するようにしてもよい。
【０２４２】
また、上記第１乃至第６の実施形態では、動作情報格納部１２５に、運転者３１０の動作情報６００及び７００を格納するものとして説明した。しかしながら、動作情報格納部１２５には、運転者３１０以外の他の運転者の動作情報を格納するようにしてもよい。つまり、動作情報は、運転者ごとにわけて動作情報格納部１２５に格納しておき、運転補助処理実行時に、対応する動作情報を読み出すようにしてもよい。
【０２４３】
また、上記第１乃至第６の実施形態では、動作情報６００及び７００を動作情報格納部１２５に格納するものとして説明したが、動作情報６００及び７００は、例えば、ネットワーク上のサーバに格納するようにしてもよい。この場合、注意喚起用ＥＣＵ１２０は、運転補助処理の実行に際して、ネットワーク上のサーバにアクセスし、サーバに格納された動作情報６００及び７００を参照する。
【０２４４】
また、上記第１乃至第６の実施形態において、状況判定部１２１は、ナビゲーション装置１１１より受信した位置情報と、動作情報格納部１２５に格納された動作情報とに基づいて、現在の車両の状況を判定するものとして説明した。しかしながら、状況判定部１２１は、例えば、車両制御ＥＣＵ１１２から送信された運転操作情報や車両情報に基づいて、注意喚起メッセージを音声出力すべき状況にあるか否かを判定するようにしてもよい。
【０２４５】
具体的には、車両３００が所定の法定速度を超えて走行しているような場合には、交差点や分岐点、合流点でなくても、注意喚起メッセージを音声出力するようにしてもよい。
【０２４６】
また、上記第１乃至第３の実施形態において、情報特定部１２２は、動作情報格納部１２５の動作情報を参照して、運転者に対して音声出力する注意喚起メッセージを特定した。しかしながら、情報特定部１２２が特定する注意喚起メッセージは、動作情報格納部１２５の動作情報に規定された注意喚起メッセージに限定されない。例えば、情報特定部１２２は、運転者３１０の状態（例えば、眠気）を検出する検出部を別途設け、運転者３１０の状態に応じて予備的な注意喚起メッセージを特定するようにしてもよい。
【０２４７】
具体的には、車両３００の運転者３１０の判断力が低下している状態においては、情報特定部１２２が予備的な注意喚起メッセージを特定するようにしてもよい。これにより、動作情報６００及び７００に予め規定されている注意喚起メッセージを音声出力する前に、予備的な注意喚起メッセージを音声出力することができる。この結果、例えば、交差点に到達した時点で、運転者３１０の判断力を回復させることが可能となる。
【０２４８】
また、上記第１乃至第６の実施形態では、判定結果メッセージとして、判定結果出力情報８００に予め規定されたメッセージを音声出力するものとして説明した。しかしながら、判定結果メッセージは、運転者３１０の呼称内容に合わせて変化させるようにしてもよい。例えば、運転者３１０の呼称内容を真似た判定結果メッセージを音声出力するようにしてもよい。
【０２４９】
なお、開示の技術では、以下に記載する付記のような形態が考えられる。
（付記１）
コンピュータに、
運転者が操作する乗り物の状況を判定し、
乗り物の状況と方向とを対応付けた情報を参照し、判定された前記乗り物の状況と対応する方向を特定し、
方向と、該方向への前記運転者の注意を促す注意喚起情報を音声出力装置に出力させる制御情報と、が対応付けられた情報を参照し、特定された方向と対応する制御情報に基づいて、特定された方向への前記運転者の注意を促す注意喚起情報を前記音声出力装置に出力させる、
処理を実行させる注意喚起プログラム。
（付記２）
前記コンピュータに、更に、
特定された方向への前記運転者の注意を促す注意喚起情報を前記音声出力装置に出力させた場合に、乗り物の状況と方向と前記運転者が行うべき確認動作とを対応付けた情報を参照し、判定された前記乗り物の状況と対応する確認動作を前記運転者が行ったか否かを判定し、
判定された前記乗り物の状況と対応する確認動作を前記運転者が行わなかったと判定した場合、判定された前記乗り物の状況と対応する確認動作を前記運転者が行わなかったことを示す判定結果情報を、特定された方向と対応する制御情報に基づいて前記音声出力装置に出力させる、
処理を実行させる付記１に記載の注意喚起プログラム。
（付記３）
前記コンピュータに、更に、
特定された方向への前記運転者の注意を促す注意喚起情報を前記音声出力装置に出力させた場合に、乗り物の状況と方向と前記運転者が復唱すべき復唱情報とを対応付けた情報を参照し、判定された前記乗り物の状況と対応する復唱情報を、特定された方向と対応する制御情報に基づいて前記音声出力装置に出力させる、
処理を実行させる付記１に記載の注意喚起プログラム。
（付記４）
運転者が操作する乗り物の状況を判定する判定手段と、
乗り物の状況と方向とを対応付けた情報を参照し、前記判定手段により判定された前記乗り物の状況と対応する方向を特定する特定手段と、
方向と、該方向への前記運転者の注意を促す注意喚起情報を音声出力装置に出力させる制御情報と、が対応付けられた情報を参照し、前記特定手段により特定された方向と対応する制御情報に基づいて、前記特定手段により特定された方向への前記運転者の注意を促す注意喚起情報を前記音声出力装置に出力させる制御手段と
を有する注意喚起装置。
（付記５）
コンピュータによる注意喚起方法であって、該コンピュータが、
運転者が操作する乗り物の状況を判定し、
乗り物の状況と方向とを対応付けた情報を参照し、判定された前記乗り物の状況と対応する方向を特定し、
方向と、該方向への前記運転者の注意を促す注意喚起情報を音声出力装置に出力させる制御情報と、が対応付けられた情報を参照し、特定された方向と対応する制御情報に基づいて、特定された方向への前記運転者の注意を促す注意喚起情報を前記音声出力装置に出力させる、
処理を実行する注意喚起方法。
（付記６）
運転者が操作する乗り物の状況を検出する状況検出装置と、
複数の音声出力装置と、
注意喚起装置と、を有する注意喚起システムであって、
前記注意喚起装置は、
前記状況検出装置により検出された状況に基づいて、該乗り物の状況を判定する判定手段と、
乗り物の状況と方向とを対応付けた情報を参照し、前記状況検出装置により検出された状況と対応する方向を特定する特定手段と、
方向と、該方向への前記運転者の注意を促す注意喚起情報を前記音声出力装置に出力させる制御情報と、が対応付けられた情報を参照し、前記特定手段により特定された方向と対応する制御情報に基づいて、前記特定手段により特定された方向への前記運転者の注意を促す注意喚起情報を前記音声出力装置に出力させる制御手段と
を有する注意喚起システム。
【０２５０】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【０２５１】
１００              ：注意喚起システム
１１１              ：ナビゲーション装置
１１２              ：車両制御ＥＣＵ
１１３              ：ジェスチャ検出部
１１４              ：音声検出部
１１５              ：視線検出部
１２０              ：注意喚起用ＥＣＵ
１２１              ：状況判定部
１２２              ：情報特定部
１２３              ：動作判定部
１２４              ：音声出力制御部
１３１〜１３６      ：第１乃至第６の音声出力部
３００              ：車両
３１０              ：運転者
３１１〜３１４      ：仮想同乗者
６００、７００      ：動作情報
８００              ：判定結果出力情報
９００              ：音声属性情報
２２００            ：注意喚起システム
２２０１            ：動作情報更新部
２３０１            ：調和度算出部
２３０２            ：メッセージ内容更新部
２３０３            ：メッセージ個数更新部
２３０４            ：タイミング更新部
【図１】
0006786807.tif 000002
【図２】
0006786807.tif 000003
【図３】
0006786807.tif 000004
【図４】
0006786807.tif 000005
【図５】
0006786807.tif 000006
【図６】
0006786807.tif 000007
【図７】
0006786807.tif 000008
【図８】
0006786807.tif 000009
【図９】
0006786807.tif 000010
【図１０】
0006786807.tif 000011
【図１１】
0006786807.tif 000012
【図１２】
0006786807.tif 000013
【図１３】
0006786807.tif 000014
【図１４】
0006786807.tif 000015
【図１５】
0006786807.tif 000016
【図１６】
0006786807.tif 000017
【図１７】
0006786807.tif 000018
【図１８】
0006786807.tif 000019
【図１９】
0006786807.tif 000020
【図２０】
0006786807.tif 000021
【図２１】
0006786807.tif 000022
【図２２】
0006786807.tif 000023
【図２３】
0006786807.tif 000024
【図２４】
0006786807.tif 000025